(57)【要約】本発明は、バイオメトリクスにより登録ユーザを認証し、対話相手のアイデンティティをリアルタイムに認証するための方法及び装置を開示する。前記方法は、第１コンピューティングデバイスにより第２コンピューティングデバイスのキャプチャデータを受信し、受信したキャプチャデータに応答して、キャプチャデータとメモリに格納されたデータとを関連させ、前記第２コンピューティングデバイスのユーザのアイデンティティを決定し、前記第２コンピューティングデバイスのアイデンティティ情報を前記第１通信デバイスに伝送することを含み、前記第１及び第２コンピューティングデバイスはもう、サーバに登録されている。【選択図】２
2019511021.tif 000002
【特許請求の範囲】
【請求項１】
ウェアラブルデバイスによるユーザの登録方法であって、
サーバにアクセスするステップと、
前記ウェアラブルデバイスに関連する識別子を前記サーバに伝送するステップと、
前記サーバによって前記識別子が前記ウェアラブルデバイスに対応するか否かを検証するステップと、
前記ユーザに関する生体情報を前記サーバに伝送するステップと、
前記ユーザの画像を前記サーバに伝送するステップと、
前記サーバによって前記ユーザの画像が前記ユーザに対応するか否かを検証するステップと、
前記サーバによって前記ウェアラブルデバイスと前記ユーザの生体情報とをリンクするステップと、
前記サーバから前記ウェアラブルデバイスの登録を示すメッセージを受信するステップと、を含むことを特徴とするウェアラブルデバイスによるユーザの登録方法。
【請求項２】
前記サーバによって前記ユーザの画像が前記ユーザに対応するか否かを検証するステップは、
前記サーバによって承認済の信頼できる機関によってメンテナンスする１つ又は複数の信頼できるデータベースにアクセスするステップと、
前記サーバによって、前記ユーザの前記画像と前記１つ又は複数の信頼できるデータベース内の前記ユーザの１つ又は複数の信頼できる画像とを比較するステップと、を含むことを特徴とする請求項１に記載の方法。
【請求項３】
前記サーバによって、前記生体情報を１つ又は複数のデータベースに格納するステップを更に含むことを特徴とする請求項１に記載の方法。
【請求項４】
前記生体情報が、脈拍、骨格構造、音声パターン、虹彩パターン、網膜パターン、指紋、顔構造、体温、皮膚温度、呼吸パターン、又は生体電気信号のうちの１つ又は複数を含む、ことを特徴とする請求項１に記載の方法。
【請求項５】
前記ユーザに関する生体情報を前記サーバに送信するステップは、
前記ウェアラブルデバイスを用いて前記ユーザに関する前記生体情報を取得するステップを更に含む、ことを特徴とする請求項１に記載の方法。
【請求項６】
前記識別子は前記ウェアラブルデバイスにマーキングされることを特徴とする請求項１に記載の方法。
【請求項７】
１つ又は複数の信頼できるデータベースは、信頼できる識別子を格納する、ことを特徴とする請求項２に記載の方法。
【請求項８】
前記サーバによって、前記ユーザの前記生体情報を前記ウェアラブルデバイスにリンクするステップは、
前記識別子と前記信頼できる識別子の１つ又は複数とを比較するステップを含む、ことを特徴とする請求項７に記載の方法。
【請求項９】
特定のウェアラブルデバイスのユーザの認証方法であって、
前記特定のウェアラブルデバイスによって、前記ユーザの１つ又は複数の生体情報を取得するステップと、
前記特定のウェアラブルデバイスによって、前記１つ又は複数の生体情報をサーバに伝送するステップと、
前記サーバによって、前記１つ又は複数の生体情報が、前記特定のウェアラブルデバイスに特定の、記憶された前記ユーザの生体情報に対応するか否かを検証するステップと、
前記サーバによって、前記特定のウェアラブルデバイスを認証する前記ユーザのメッセージを伝送するステップと、を含むことを特徴とする方法。
【請求項１０】
２人以上のユーザ間の無線通信用のシステムであって、
サーバと、
前記サーバと通信するデータベースと、
それぞれ前記ユーザのうちの１人に関連する２つ又は複数のデバイスとを含み、
前記２つ又は複数のデバイスは、
前記関連ユーザの生体情報を捉えるための１つ又は複数のセンサと、
前記サーバと無線通信するための１つ又は複数のトランシーバとを含み、
前記２つ又は複数のデバイスは、それぞれ、前記関連ユーザによって着用され、
前記データベースは、前記ユーザの各々に対して格納された生体情報に関するデータを含み、
前記デバイスの各々は、前記捉えられた生体情報を前記サーバに伝送して、前記捉えられた生体情報が、記憶された前記関連ユーザの生体情報に対応するか否かを検証することを特徴とする２人以上のユーザ間の無線通信用のシステム。
【請求項１１】
前記デバイスは、
中央フレームと、
前記中央フレームに支持された２つのレンズ素子と、
中央フレームから延びる２つのアームと、を更に備え、
前記センサ及び前記トランシーバは前記中央フレーム及び前記アームの一方又は両方に取り付けられていることを特徴とする請求項１０に記載のシステム。
【請求項１２】
前記デバイスは、１つ又は複数のカメラを更に備え、前記カメラは、前記中央フレーム及び前記アームの一方又は両方に取り付けられる、ことを特徴とする請求項１１に記載のシステム。
【請求項１３】
前記カメラは、前記アームの端部に近接して取り付けられる、ことを特徴とする請求項１２に記載のシステム。
【請求項１４】
前記デバイスは、前記中央フレームに取り付けられた１つ又は複数のパッドを更に備える、ことを特徴とする請求項１１に記載のシステム。
【請求項１５】
前記デバイスは、前記パッドに接続された１つ又は複数のマイクロフォンを更に備える、ことを特徴とする請求項１４に記載のシステム。
【請求項１６】
前記生体情報が、脈拍、骨格構造、音声パターン、虹彩パターン、網膜パターン、指紋、顔構造、体温、皮膚温度、呼吸パターン、又は生体電気信号のうちの１つ又は複数を含む、ことを特徴とする請求項１０に記載のシステム。
【請求項１７】
前記デバイスは、１つ又は複数のスピーカを更に備え、前記スピーカは、前記中央フレーム及び前記アームの一方又は両方に取り付けられる、ことを特徴とする請求項１０に記載のシステム。
【請求項１８】
前記スピーカは、前記アームの端部に近接して取り付けられている、ことを特徴とする請求項１７に記載のシステム。
【請求項１９】
前記レンズ素子は、基板、レンズ電源、及び表示スクリーンのうちの１つ又は複数を含む、ことを特徴とする請求項１１に記載のシステム。
【請求項２０】
前記表示スクリーンは、タッチスクリーン機能を含む、ことを特徴とする請求項１９に記載のシステム。
【請求項２１】
前記カメラは、視覚データを捉えるように構成されている、ことを特徴とする請求項１２に記載のシステム。
【請求項２２】
前記視覚データは、画像又はビデオのうちの１つを含む、ことを特徴とする請求項２１に記載のシステム。
【請求項２３】
前記視覚データはメタデータを含み、前記メタデータは、前記デバイスに関連する前記ユーザのアイデンティティ、前記視覚データを捉えるときの前記デバイスの高度、前記視覚データが捉えられた時間、及び前記視覚データが捉えられた位置を含む、ことを特徴とする請求項２２に記載のシステム。
【請求項２４】
前記位置は、北又は南に対する角度を含む、ことを特徴とする請求項２３に記載のシステム。
【請求項２５】
前記メタデータは、前記ユーザには見えない、ことを特徴とする請求項２４に記載のシステム。
【請求項２６】
前記メタデータは、ドットの形で前記視覚データに埋め込まれる、ことを特徴とする請求項２５に記載のシステム。
【請求項２７】
前記レンズ素子の不透明度が調節可能である、ことを特徴とする請求項１１に記載のシステム。
【請求項２８】
前記レンズ素子は複数の層を含む、ことを特徴とする請求項１１に記載のシステム。
【請求項２９】
前記カメラのうちの１つ又は複数が、前記ユーザの背面のビデオを捉えるように配向されている、ことを特徴とする請求項１２に記載のシステム。
【請求項３０】
前記ビデオは、１つ又は複数の前記レンズ素子に表示される、ことを特徴とする請求項２９に記載のシステム。
【請求項３１】
前記カメラのうちの１つ又は複数は、前記ユーザの１つ以上の網膜パターンのビデオを捉えるように配向されている、ことを特徴とする請求項１２に記載のシステム。
【請求項３２】
前記カメラのうちの１つ又は複数は、前記ユーザの眼球の一方又は両方の動きのビデオを捉えるように配向されている、ことを特徴とする請求項１２に記載のシステム。
【請求項３３】
前記カメラのうちの１つ又は複数は、前記中央フレームの内面に取り付けられている、ことを特徴とする請求項１２に記載のシステム。
【請求項３４】
前記デバイスのうちの第１デバイスは、前記視覚データを前記デバイスのうちの前記第２デバイスに伝送して、前記デバイスのうちの第２デバイスのレンズ素子に表示するように構成されている、ことを特徴とする請求項２１に記載のシステム。
【請求項３５】
１つ又は複数のブロッキングデバイスを更に備え、前記ブロッキングデバイスは、１つ又は複数の前記デバイスと前記サーバとの間の無線通信をブロックする、ことを特徴とする請求項１０に記載のシステム。
【発明の詳細な説明】
【技術分野】
【０００１】
本発明は、鼻トップに着用可能なコンピューティングデバイスに関する。具体的には、本発明は、複雑なソフトウェアと組み合わせることにより、ホリスティック・オンライン／インターネットソリューションを介してよりスマートで、安全で、且つ信頼な通信と、ウェアラブルコンピューティングデバイスによって撮影された画像又はビデオの正確な検索とを保証する一連のハードウェアデバイスに関する。
【背景技術】
【０００２】
電子商取引とオンライン／インターネットのソーシャルネットワークプラットフォームは、もう現代生活の重要な一部となっている。現代のコンピューティングプラットフォームでは、特にコンピューティングデバイスを介して行われる不正、犯罪、又はテロ活動との戦いの際に、安全性、保安性、正確性が求められている。
【０００３】
付き合うヒトのアイデンティティを正確かつシームレスに認証することができる全体システムに対する必要がある。そのようなシステムは、通信における障害を取り除き、それにより、個人交流の相互信頼を促進するのに役立つ。
【０００４】
個体に特有の生体特徴を認識することができる様々な生体識別技術が開発されている。このようなシステムでは、特定の目的が必要とされるとき（例えば、特定の許可されたコンピュータシステム、建物又はその他の施設へのアクセス、純正品のオンライン販売、緊急時や救助サービスへの連絡など）に、いつでも個体が認識されるように、固体の特徴を捉えて記録することが必要である。
【０００５】
したがって、個人ユーザーを確実かつ正確に認証することができるウェアラブルコンピューティングデバイスとインターロックする登録システムが望ましい。
【発明の概要】
【０００６】
システム、ツール及び方法を結び合わせて実施形態及びその態様を説明するが、それは、例示的に説明するために過ぎず、それに限定されていない。それぞれの実施形態では、上記の問題の１つ又は複数がもう低減又は排除されているが、他の実施形態は他の改善に向けられている。
【０００７】
本発明は、以下の複数の態様を含むが、それに限定されていない。
・カメラとＧＰＳ測位機能及びインスタントアップロードのオンライン通信機能とを備えたウェアラブルコンピューティングデバイス
・ウェアラブルデバイスと、ウェアラブルコンピューティングデバイスによって取得され、ウェアラブルコンピューティングデバイスに伝送されたメディアを受信し格納するように構成されたデータベースを含むシステム
・ウェアラブルデバイスが仲介するトランザクションを管理し、処理及び表示のためのダウンロード及びアップロードを含む入力、出力及び検証するためのオンラインシステム
・ウェアラブルコンピューティングデバイスを有する登録ユーザが他の登録ユーザが見ているものを同時に見ることを可能にする「共有ビュー」
・目が過度に疲れないように健康な視距離又は健康なビューイングタイムを保つための制御可能な不透明な視覚
・専用のカメラ（例えば、Ｘ線又は他の光学デバイス）を使用して、許可された人がマスクされた容疑者を見てかつ関連するデータベースを介して確認することを可能にする「シースルー」機能
・メディアを管理して、ウェアラブルデバイスによって取得された、プログラムに基づいてアップロードされるメディアへアクセスするためのオンラインシステム。
・ウェアラブルデバイスが仲介するトランザクションを実行するための方法
・ウェアラブルデバイスにおいて照合するための生体認証システム
・本物のメディアを索引付けて検索するための方法及び装置
・オンライン又はオフラインで、人員と純正品を識別するための方法及び装置
・コンピューティングデバイスを特定の認証された個人と関連付けするための方法及び装置
・検証のためにユーザのアイデンティティを認証してユーザ登録されたコンピューティングデバイスにアクセスするための方法及び装置
・ユーザ登録されたコンピューティングデバイスとオンライン接続とを使用して対話するユーザのアイデンティティを検証するための方法及び装置
・ウェアラブルコンピューティングデバイスを用いて緊急事態に対応するための方法及び装置
・（ほとんどの）指名手配犯（容疑者）及び／又は異常な活動を監視するための方法及び装置
・コンピューティングデバイスは、コンピューティングデバイスを登録するための方法と、ユーザ登録されたコンピューティングデバイスにアクセスするためにユーザのアイデンティティを認証する方法と、ユーザ登録されたコンピューティングデバイスを使用して対話するユーザのアイデンティティを検証する方法と、危険な状況及び／又は犯罪者又はテロリストを検出すると前記ユーザ登録されたコンピューティングデバイスを使用して緊急信号をアクティブする方法と、のうちの１つ又は複数の方法を実行するように配置されている。
・コンピューティングデバイスは、前記デバイスによって捉えられてアップロードされたメディアを認証するように配置され、ただし、捉えられた各メディアの認証情報は、メディア自体に嵌め込まれ、真実のオンラインソースにリンクされることができ、かつメディアが表示されるときに視認できルことができる。
ウェアラブルデバイスは、複数の機能層を有するレンズを含み、前記複数の機能層は、１層又は複数層のデジタル表示画面、プログラムされた透明体及び電源を備えることができる。いくつかの実施形態では、電源は光電池であってもよい。
【０００８】
本発明の一態様では、ウェアラブルデバイスによるユーザの登録方法は、サーバにアクセスするステップと、ウェアラブルデバイスに関連する識別子をサーバに伝送するステップと、前記サーバによって前記識別子が前記ウェアラブルデバイスに対応することを検証するステップと、前記ユーザに関する生体情報を前記サーバに伝送するステップと、前記ユーザの画像を前記サーバに伝送するステップと、前記サーバによって前記ユーザの画像が前記ユーザに対応することを検証するステップと、前記サーバを介して前記ウェアラブルデバイスと前記ユーザの生体情報とをリンクするステップと、前記ウェアラブルデバイスの登録を示すメッセージを前記サーバから受信するステップと、を含む。
【０００９】
本発明の別の態様では、特定のウェアラブルデバイスのユーザの認証方法は、特定のウェアラブルデバイスによって、ユーザの１つ又は複数の生体情報を取得するステップと、前記特定のウェアラブルデバイスによって、前記１つ又は複数の生体情報をサーバに伝送するステップと、前記サーバによって前記１つ又は複数の生体情報が、前記ユーザの記憶されて前記特定のウェアラブルデバイスに固有する生体情報に対応するか否かを検証するステップと、前記サーバによって、前記サーバによって前記ユーザが前記特定のウェアラブルデバイスを介して認証されるメッセージを伝送するステップと、を含む。
【００１０】
本発明のさらなる態様では、２人以上のユーザ間の無線通信用システムは、サーバと、前記サーバと通信するデータベースと、２つ以上のデバイスとを備える。前記デバイスはそれぞれ、１つのユーザに関連付けられ、関連ユーザに関する生体情報を捉えるための１つ以上のセンサと、前記サーバと無線通信するための１つ以上のトランシーバとを備える。前記デバイスはそれぞれ、前記関連ユーザによって着用されてもよい。  前記データベースは、前記各ユーザの記憶された生体情報データを含む。  前記デバイスはそれぞれ、捉えた前記生体情報を前記サーバに伝送して、捉えた前記生体情報が、前記関連ユーザの記憶された生体情報に対応するか否かを検証することができる。
【００１１】
上述の例示的な態様及び実施形態に加えて、さらなる態様及び実施形態は、図面を参照して以下の詳細な説明を検討することによって明らかになる。
【図面の簡単な説明】
【００１２】
図面を参照しながら例示的な実施形態を説明したが、  本明細書に開示される実施形態及び図面は、例示的なものであり、それに限定されていない。
【００１３】
【図１】一実施形態によるシステムの概略模式図である。
【００１４】
【図２】一実施形態によるウェアラブルデバイスの透視正面図である。
【００１５】
【図３】一実施形態によるウェアラブルデバイスの透視背面図である。
【００１６】
【図４】一実施形態によるウェアラブルデバイスの大部分のコンポーネントのブロック図である。
【００１７】
【図５】一実施形態によるウェアラブルデバイスの緊急モードを示すブロック図である。
【００１８】
【図６】一実施形態によるウェアラブルデバイスの透視正面図である。
【００１９】
【図７】一実施形態によるレンズ素子の層を示す断面図である。
【００２０】
【図８】ウェアラブルデバイスの登録システムの例示的な応用を概説する概略図である。
【００２１】
【図９】一実施形態によるウェアラブルデバイスの登録方法のフローチャートである。
【００２２】
【図１０】一実施形態によるユーザのアイデンティティを認証してそのウェアラブルデバイスにアクセスする方法のフローチャートである。
【００２３】
【図１１】一実施形態によるウェアラブルデバイスを使用して緊急コマンドをアクティブにする方法のフローチャートである。
【００２４】
【図１２】一実施形態による４ｃ５ｄメタデータがどのように配置され又は配列されるか、４ｃ５ｄメタデータが肉眼で見ることができるかどうかにかかわらず、ウェアラブルデバイスによって捉えられた画像の概略図である。
【００２５】
【図１３】一実施形態によるウェアラブルデバイスを使用して捉えられた電子透かしを含む画像の概略図である。
【００２６】
【図１４】電子透かしの例を示す図１３の拡大図である。
【００２７】
【図１５】一実施形態によるウェアラブルデバイスを使用して捉えられた電子透かしを含む第２画像の模式図である。
【００２８】
【図１６】一実施形態による電子透かしを示す図１５の拡大図である。
【００２９】
【図１７】一実施形態によるウェアラブルデバイスを使用して対話するユーザのアイデンティティを検証する方法を示す。
【００３０】
【図１８】一実施形態によるウェアラブルデバイスを使用して危険な状態を検出すると緊急信号をアクティブにする方法を示す。
【発明を実施するための形態】
【００３１】
以下、特定の詳細を説明して当業者を完全に理解させる。しかしながら、本発明を必要以上に不明瞭にしないように、周知の要素を詳しく図示して説明しない可能性がある。したがって、説明及び図面は、例示的なものであり、それに限定されていない。
【００３２】
本発明の一態様は、それを着用した人々が互いに確実に識別することができるウェアラブルコンピューティングデバイスを提供する。各デバイスは特定者に関連付けられている。各デバイスは、生体センサーを使用して、該デバイスが登録時の関連者に着用されているか否かを検証する。前記デバイスはそれぞれ、デバイスが互いに通信することを許可する無線データ通信設備と、信頼可能な機関によってメンテナンスされる公的データベースとを含む。前記データベースには、異なるウェアラブルデバイスに関連する人物のある情報が含まれている。
【００３３】
図１は、１つ又は複数のウェアラブルデバイス１２を含むシステム１０の例示的な応用を示す模式図である。この例示的な実施形態では、３つのウェアラブルデバイス（１２ａ、１２ｂ、１２ｂ）が示されている。
【００３４】
各ウェアラブルデバイス１２は、ユーザＰ（例えば、図１に示すＰａ、Ｐｂ、及びＰｃ）に関連付けられている。各ウェアラブルデバイス１２は、１つ以上のセンサを備える生体識別システムを含む。前記センサは、好ましくは、ウェアラブルデバイス１２において、ユーザが関連するウェアラブルデバイス１２を着用するときに、ユーザの生体特徴を検知することができる箇所に配置される。前記センサは、例えば、音響センサ、超音波センサ、赤外線センサ、撮像センサ、又は振動センサなどを含む。前記センサは、ユーザの脈拍特徴、ユーザの骨格構造特徴、ユーザの音波特徴、ユーザの目の特徴（例えば、虹彩又は網膜のパターン）、ユーザの生体電気信号の特徴、ユーザの呼吸特徴、身体及び／又は皮膚の温度測定、ガルバニック皮膚反応、指紋スキャニング、顔構造、又はこれらの組み合わせなどの生体特徴を検知できる。これらの特徴の全ては、複数の人々によって使用され得る従来のスマートフォンとは異なり、それぞれのアクティブされたウェアラブルデバイス１２が１人のユーザのみに関連又はインターロックすることを保証することを意図している。
【００３５】
図２は、ウェアラブルデバイス１２の一実施形態の一例を示している。この実施形態では、ウェアラブルデバイス１２は、通常の眼鏡のような形態を採用することができる。しかしながら、ウェアラブルデバイス１２は、腕時計、リストバンド、衣類などの他の形態を採用してもよい。
【００３６】
図２に示す実施形態では、ウェアラブルデバイス１２は、中央フレーム１６から延びる２つのアーム１４を備える。中央フレーム１６は、２つのレンズ素子１８を支持する。好ましくは、パッド２０は、中央フレーム１６の下部に取り付けられ、ウェアラブルデバイス１２が着用されたときに使用者の鼻に係止する。
【００３７】
前記ウェアラブルデバイス１２は、１つ以上のプロセッサ２２を備える。前記プロセッサ２２は、アーム１４の一方又は両方に配置されることができる（図２参照）。しかしながら、前記プロセッサ２２はウェアラブルデバイス１２の他の部分に配置されることもできる。
【００３８】
前記ウェアラブルデバイス１２は、サーバ１００（図１参照）とデータを送受信するためのトランシーバ３０を備える。好ましくは、前記トランシーバ３０は、図１に示すように、ネットワーク１０２を介してサーバ１００と無線通信する。そのような通信は、Ｗｉ−Ｆｉ、ブルートゥース（登録商標）、４Ｇ、５Ｇ、ＬＴＥなどのセルラ伝送などの１つ又は複数の既知のプロトコルを使用してもよい。前記サーバ１００はデータベース１０４に接続されてもよい。前記トランシーバ３０は、アーム１４の一方又は両方に配置され、且つ、前記プロセッサ２２と通信することができる。
【００３９】
前記パッド２０は、好ましくは、マイクロホン２４を備える。一実施形態では、前記マイクロホン２４は、骨伝導マイクロホンであるが、他のタイプのマイクロホンであってもよい。骨伝導マイクロフォンは、鼻骨からの音声振動を検知して受け取り、そして、前記音声振動を電気信号に変換してプロセッサ２２に伝送されて処理される。
【００４０】
ユーザはマイクロホン２４を使用して音声コマンドを入力することができる。プロセッサ２２は、ウェアラブルデバイス１２の様々な機能を制御するための所定のコマンドの辞書を含む音声認識プログラムを含むことができる。例えば、ユーザがマイクロフォン２４に音声コマンドを入力すると、プロセッサ２２は、音声認識プログラムを使用して、ユーザによって入力されたコマンドを確認して適切な動作を行うことができる。好ましくは、プロセッサ２２は、ユーザのアイデンティティが変化したことを認識した場合に、コマンドを実行することを拒否することができる。これは、ウェアラブルデバイス１２が盗難され、或いは承認済み人に着用された場合に、ウェアラブルデバイス１２の安全性及び保安性を向上させる。
【００４１】
マイクロフォン２４は、好ましくは高感度であり、高い信号対雑音比を有することができる。したがって、緊急事態では、ウェアラブルデバイス１２を着用したユーザは、マイクロホン２４を介して他人が気が付いたり聞いたりしないように音声コマンドを静かに発することができる。
【００４２】
レンズ素子１８は、透明レンズ又は処方レンズを含むことができる。いくつかの実施形態では、レンズ素子１８は、取り外し可能かつ交換可能であってもよい。例えば、ユーザは、レンズ素子１８を透明レンズと逆タッチスクリーンディスプレイレンズとの間に切り替えるこができ、前記逆タッチスクリーンディスプレイレンズは、ユーザが指でレンズ素子１８（後述参照）の外面におけるコマンドアイコンに触れることを許可する。レンズ素子１８の不透明性は、例えば光色レンズを使用することによって制御可能である。これは、音声コマンド、適切なボタンを押すこと、又は眼球追跡技術によって制御することができる。
【００４３】
前記ウェアラブルデバイス１２は、好ましくは、プロセッサ２２と通信する複数のカメラ２６を備える。図２に示す実施形態では、カメラ２６は中央フレーム１６に取り付けられる。ユーザは、カメラ２６を使用して、ユーザの視野内の画像及び／又はビデオを捉える。複数のカメラ２６の一部又は全ては、ウェアラブルデバイス１２における任意の他の適切な位置に取り付けられてもよい。例えば、カメラ２６のいくつかは、アーム１４に沿って取り付けられてもよい（例えば、図２の２６ａのようなアーム１４の端部）。そのような実施形態では、ユーザは、ユーザの視野の周辺に位置する物体の画像及び／又はビデオに加えて、ユーザの視野の側面又は後方に位置する物体の画像及び／又はビデオを捉えることができる。
【００４４】
背面カメラ２６（例えば、カメラ２６ａ）からの画像又はビデオは、記録され、前記画像又はビデオは、プロセッサ２２に伝送され、そして、１つ又は２つのレンズ素子１８に表示されることができる（後述参照）。このようにして、ユーザは、前方及び後方を同時に見ることができる。
【００４５】
カメラ２６ａは、後ろからの予期せぬ事態を未然に防ぐために有用である。被害者は、通常、後ろを見える能力がないため、背中から攻撃されるのが一般的である。例えば、ウェアラブルデバイス１２を着用したユーザは、自分が追跡されていると疑われる場合、ウェアラブルデバイス１２が１つ以上のカメラ２６ａをオンにすることを指令し、かつ画像及び／又はビデオの捉え及びアップロードを開始することができる。このような写真をネットワーク１０２を介してサーバ１００によって関係機構に伝送することを自動又は手動的に指示することができる（後述）。
【００４６】
ユーザに対して、１つ以上のカメラ２６ａからの画像又はビデオを（例えば、レンズ素子１８の一部に）表示することもできる。図２に示されるように、前記レンズ素子１８は、ユーザに対してカメラ２６ａからの画像又はビデオを表示するための小型スクリーン２８を含む。小型スクリーン２８は、レンズ素子１８における異なる位置に（例えば、レンズ素子１８の異なる角部又は縁部に）配置されてもよい。カメラ２６は、虹彩又は網膜のパターンを検出することができ、或いは眼球の動きを追跡することができるように、中央フレーム１６の内面に配置されてもよい（例えば、図３のカメラ２６ｂ）。
【００４７】
いくつかの実施形態では、前記カメラ２６は、暗視及び／又は望遠鏡の機能を有する。暗視機能を有するカメラ２６は、非常に低い照明条件下で動作可能である。このようなカメラは赤外線に敏感であり、ユーザが完全な暗闇の中でも場面を見たり記録したりすることができる赤外線撮像モードを有する。カメラ２６は、画像又はビデオの品質を改善するためのフラッシュ及び／又はＩＲ光エミッタを備えることもできる。
【００４８】
カメラ２６は、光が入るための窓と、光を通過させるための少なくとも１つのカメラレンズ素子をそれぞれ含む少なくとも１つのカメラレンズと、光を捉えるための画像センサを含むことができる。いくつかの実施形態では、カメラ２６は、ソフトウェア及び／又はハードウェアによってズーム機能を提供することができる。このような実施形態では、ユーザは、ソフトウェアプロセス又は他のレンズ駆動ユニットによるハードウェアズームにより捉えられた画像を拡大することができ、前記レンズ駆動ユニットは、焦点の所望のズームを実現するように、少なくとも１つのカメラレンズの画像センサに対するに対する距離を調整することに用いられる。
【００４９】
カメラ２６は、ユーザコマンドによってオン又はオフに切り替えることができる。いくつかの実施形態では、ユーザは、マイクロホン２４を介して音声コマンドを発することができる。他の実施形態では、ユーザは、レンズ素子１８に触れることによってコマンドを提供することができる。
【００５０】
アーム１４は複数のセンサ３２を含むことができる。その目的を説明するために、図２には、４つのセンサ３２ａ、３２ｂ、３２ｃ、３２ｄを示している。しかしながら、アーム１４は任意の数のセンサ３２を含んでもよい。センサ３２は、心臓及び呼吸数、身体又は皮膚の温度、ガルバニック皮膚反応、指紋スキャンニング、音声認識、顔構造、又はそれらの組み合わせを検出するための生体センサであってもよい。このようなセンサ３２は、識別子として特定の登録ユーザをウェアラブルデバイス１２にロックすることができる。センサ３２は、周辺の音を受信するための１つ以上のマイクロフォンを含むこともできる。センサ３２は、プロセッサ２２と通信している。
【００５１】
ウェアラブルデバイス１２は、オーディオを出力するための１つ以上のスピーカ３４を更に備えてもよい。図２に示す実施形態では、スピーカ３４は、アーム１４の端部に近接して配置され、それにより、ユーザがウェアラブルデバイス１２を着用したときに、前記スピーカ３４は、ユーザの耳に近接して配置される。しかしながら、スピーカ３４は、ウェアラブルデバイス１２における任意の適切な位置に取り付けられてもよい。例えば、スピーカ３４の一部又は全部は、ユーザのテンプル及び／又はユーザの鼻の近くに取り付けられてもよい。
【００５２】
スピーカ３４は、従来のオーディオスピーカ、骨伝導スピーカ、又はトランスデューサであってもよい。スピーカ３４が骨伝導スピーカである実施形態では、スピーカ３４は、出力信号をユーザの骨構造に伝達され得る振動に変換することができる。
【００５３】
ウェアラブルデバイス１２は、アーム１４の一方又は両方に配置され得る全地球測位システム（ＧＰＳ）コンポーネント３６を更に備えることができる。ＧＰＳコンポーネント３６は、ウェアラブルデバイス１２の位置を提供することができる。ＧＰＳコンポーネント３６は、さらに、ユーザの現在検出位置又はユーザの意図された目的地に基づいてナビゲーション指示を提供することができる。いくつかの実施形態では、ウェアラブルデバイス１２は、ＧＰＳコンポーネント３６を含まなくてもよいが、ユーザの位置を決定し或いは要求に応じてユーザに対してナビゲーション指示を提供するためのＧＰＳコンポーネント３６を含む別のウェアラブルデバイス１２と無線通信することができる。
【００５４】
ウェアラブルデバイス１２は電池３８を更に備えることができる。電池３８は、ウェアラブルデバイス１２の様々な他の部材（例えば、プロセッサ２２、センサ３２、スピーカ３４、カメラ２６、マイクロホン２４など）に接続されて運転電力を供給することができる。電池３８は、太陽光発電、運動エネルギー、無線充電、有線充電などの様々な方法で充電できる。
【００５５】
前記プロセッサ２２は、さらに、データメモリ、例えば、メモリ４０に結合されることができる。例えば、メモリ４０は、プロセッサ２２によって実行可能なソフトウェア、例えば、リアルタイム認証ソフトウェアを記憶することに用いられることができる。図２に示される実施形態では、プロセッサ２２、メモリ４０、電池３８、及びトランシーバ３０は、アーム１４の一方又は両方の上又は内側に取り付けられる。一般的に、図４に示されるように、プロセッサ２２は、ウェアラブルデバイス１２の他の部材（例えば、センサ３２、スピーカ３４、カメラ２６、マイクロホン２４、レンズ素子１８、小型スクリーン２８など）と有線又は無線で通信することができる。
【００５６】
いくつかの実施形態では、１つ以上のセンサ３２は、ユーザがウェアラブルデバイス１２を着用しているときユーザの頭の動きを検出するように配置されてもよい。これにより、ユーザは、ウェアラブルデバイス１２の向きが水平であり、かつ捉えれる画像又はビデオも水平であることを確保できる。カメラ２６の任意の防振技術を除いて、この特徴は、更に、ユーザの頭又は手のジェスチャを介してなされたコマンドを検出することに適用されてもよい。
【００５７】
１つ以上のセンサ３２は、傾斜センサ（例えば、３２ａ）を更に含んでもよい。前記傾斜センサ３２ａは、加速度計及び／又はジャイロスコープを含むことができる。いくつかの実施形態では、ウェアラブルデバイス１２は、ユーザにウェアラブルデバイス１２の傾きを通知することに適用する。図３に示されるように、通知ディスプレイ４２は、中央フレーム１６の内面に取り付けられ、各レンズ素子１８のほぼ上方に配置されている。このような構成により、ユーザは、上方を一瞥したときに通知ディスプレイ４２におけるいずれかの通知を視覚的に見ることができる。例えば、通知ディスプレイ４２は、１つ以上の傾斜センサ３２ａがウェアラブルデバイス１２の過度の傾きを検知したときに、点滅する赤色光を発することができる。ウェアラブルデバイス１２の過度の傾きは、例えば水平から２５°以上の傾斜角として定義されるように予めプログラムされていてもよい。いくつかの実施形態では、通知ディスプレイ４２は、１つ以上の傾斜センサ３２ａがウェアラブルデバイス１２が傾斜していないこと（例えば、傾斜角が水平から２５°以下である場合）を検知すると、緑色光を発することができる。
【００５８】
このような実施形態では、傾斜センサ３２ａの出力を監視することにより運動パターンを検出する。ユーザは、自分の頭を特定の方法で傾けることによってコマンドをトリガーすることができる。
【００５９】
いくつかの実施形態では、ウェアラブルデバイス１２は、ウェアラブルデバイス１２が過度に傾けられたときにユーザに通知するように構成された振動モータ４４を備えることができる。例えば、１つ以上の傾斜センサ３２ａがウェアラブルデバイス１２の過度の傾きを検出すると、プロセッサ２２は、振動モータ４４にメッセージを伝送して、ウェアラブルデバイス１２を振動させて過度の傾きをユーザに通知する。通知ディスプレイ４２の以外、振動モータ４４を含むことができる。
【００６０】
いくつかの場所又は状況では、ウェアラブルデバイス１２がネットワーク１０２に接続する能力が損なわれる可能性がある。そのような状況では、ウェアラブルデバイス１２は、あるプロトコルがその標準プロトコルを覆す「非接続モード」に進入する可能性がある。例えば、ウェアラブルデバイス１２が、測定されたユーザの生体情報をデータベース１０４（後述）に記憶された認証生体情報と比較する場合、「非接続モード」では、このように操作することができない可能性がある。したがって、ウェアラブルデバイス１２は、図４に示すように、メモリ４０の一部である一時的生体メモリ４５においていずれかの捉えられた生体情報を格納するように配置されてもよい。一度ウェアラブルデバイス１２が「非接続モード」を終了して、かつサーバ１００に再接続されることができると、一時的生体メモリ４５内のデータは、サーバ１００によって検証目的のために使用され得る。このようにして、すべてのオフラインデータが検証されて、「非接続モード」で改ざんが発生していないことを確保できる。
【００６１】
ウェアラブルデバイス１２が「非接続モード」に入ったときに、ユーザに提示することができ、かつユーザに対してネットワーク１０２への接続を回復する方法を指示することができる。例えば、ユーザに対して、ネットワーク１０２への接続が強かった最後の既知の場所と、接続が見つかる最も近い場所が提供されてもよい。いくつかの実施形態では、ユーザは従来の接続性が弱い場所に入ろうとしているときに提示される。ユーザに対して、より強い接続性のためにどこに行くべきかを提示することもできる。
【００６２】
ウェアラブルデバイス１２は、「非接続モード」で追加の生体情報、画像、又は記録を取り込み、それにより接続が回復するとすぐにアップロードするように配置されてもよい。このようにして、ウェアラブルデバイス１２が「非接続モード」にあるときに何かが発生した場合、関連当局は、より多くの情報を処理する必要がある。ウェアラブルデバイス１２が盗まれた場合、登録ユーザの真正性を再検証することができるので、ウェアラブルデバイス１２を盗む者はそれを使用又は販売することができなくなる。あるいは、ウェアラブルデバイス１２は、後述するように、「ステルスモード」に入るようにトリガすることができる。
【００６３】
好ましくは、ウェアラブルデバイス１２は、「非接続モード」であっても、画像、オーディオ又はビデオをメモリ４０に記録するように配置されている。そのような画像、オーディオ、又はビデオは、メモリ４０の一部であるオフラインメモリ４６に記憶されてもよい。接続が再確立されると、前記ウェアラブルデバイス１２は、画像、オーディオ、又はビデオを自動的にサーバ１００におけるユーザの指定されたアカウントにアップロードする。
【００６４】
上記機能に加えて、ウェアラブルデバイス１２は、「緊急モード」を提供することができる。ウェアラブルデバイス１２は、コマンド（例えば、音声コマンドや、タッチコマンド、ジェスチャコマンド、眼球追跡コマンドなど）によって「緊急モード」がトリガされると、好ましくは静止画像及び／又は動画、位置情報（例えば、ＧＰＳ座標）及びオーディオを含む情報を取得して、ネットワーク１０２を介してサーバ１００へ伝送する。この情報は、関連当局だけでなく、ユーザにより予め設定された親戚、友人、同僚などもアクセスできる、データベース１０４におけるユーザのアカウントの「制限」領域に格納することができる。一実施形態では、関連当局、ユーザにより予め設定された親戚、友人、同僚などは「共有ビュー」を介してユーザが見ているものを見ることができる。ユーザが支援に直接連絡できない場合、彼らはユーザの代りに行動できる。
【００６５】
「共有ビュー」は、ユーザにより予め設定された特定の人がユーザの「制限」領域にアクセスして、ユーザが見ている内容（例えば、カメラ２６によって捉えられた内容）を見ることを許可する。図１に示されるように、例えば、ユーザＰａがユーザＰｂ及びＰｃの娘である場合、ユーザＰａが「緊急モード」をトリガするとき、「共有ビュー」機能が自動的にアクティブされて、ユーザＰｂ、ＰｃがユーザＰａのウェアラブルデバイス１２におけるカメラ２６によって捉えれる内容を見ることができる。
【００６６】
「緊急モード」に入ると、ウェアラブルデバイス１２は、図５に示すように、ネットワーク１０２を介して緊急信号２００をサーバ１００に伝送することもできる。緊急信号２００は、サーバ１００に警報信号２０２を生成させて関連当局に伝送されることができる。警報信号２０２は、ユーザの名前、現在位置、及び記録された画像又はビデオを示すウェアラブルデバイス１２からの情報を添付することができる。関連当局（又はユーザにより予め設定された任意の人）は、警報２０２に従って行動できる。
【００６７】
ウェアラブルデバイス１２がもう「緊急モード」に入ったことを示す緊急信号２００を受信すると、前記サーバ１００は、関連当局に関連する可能性があるデータを含むオンラインリソース２０４を自動的に作成し、リンク２０６をオンラインリソース２０４に提供することができる。リンク２０６は、警報信号２０２に含まれてもよい。オンラインリソース２０４は、ウェブページ、ファイル転送プロトコル（file transfer protocol，FTP）ソース、Dropbox（登録商標）フォルダ、又は任意の他の可能な記憶形態を含むことができる。
【００６８】
関連当局（例えば、警察）は、音声又はデータメッセージをユーザのウェアラブルデバイス１２に伝送できる。ウェアラブルデバイス１２がウェアラブルデバイスに登録されているユーザに対してのみ機能するように予め設定されるため（後述）、これらのメッセージは間違った人に伝送される懸念がない。
【００６９】
ウェアラブルデバイス１２が「緊急モード」にある間、前記ウェアラブルデバイス１２は「ステルスモード」をトリガすることもできる。いくつかの実施形態では、ウェアラブルデバイス１２が、登録ユーザではない人によって着用されていることを検出すると、「ステルスモード」がトリガされる。「ステルスモード」では、ウェアラブルデバイス１２は、オフされることを表示し、あるいはその伝送機能が無効にされているかもしれないが、実際にはビデオ、静止画像、オーディオ及び／又は位置情報を送信し続けている。「ステルスモード」で、ウェアラブルデバイス１２は、さらに、局所的に検出可能なホーミング信号２０８を発することができ、それにより関連当局は、ユーザがウェアラブルデバイス１２を取り外す最後の場所を特定できる。
【００７０】
また、別体の無線電池４８（図２参照）は、ウェアラブルデバイス１２と組み合わせて使用することができる。無線電池４８は、電池３８内の残留電力が低く（例えば、２０％未満）になると、電池３８を自動的に充電する。電池３８は、緊急時のために少なくとも１０％の電力を保留するように予め設定されてもよい。プロセッサ２２は、「緊急モード」又は「ステルスモード」で動作を延長させるように、経時的にデータ伝送頻度及び量を自動的に減少させる電池管理プロセスを含んでもよい。また、プロセッサ２２は、一旦無線電池４８が予め設定された距離を超えて（例えば、５メートルを超える）ウェアラブルデバイス１２から離れると、予め設定された警報信号を生成してユーザに提示することができる。
【００７１】
ウェアラブルデバイス１２は、ウェアラブルデバイス１２のユーザが、例えば、劇場の映画や、講義、試験、ビジネス会議などの資料を記録するのを防ぐために、ブロックユニット５０（図２参照）の範囲内で画像又はビデオを記録することを一時的に無効にすることができる。ブロッキングユニット５０は、システム１０（図１）に関連する秘密鍵を使用して標記されたデータ信号をブロードキャストすることができ、それにより、ブロッキング機能は、ブロッキングユニット５０だけでトリガされることができ、当該ブロッキングユニット５０は、システム１０の一部であるか、又はシステム１０によって承認される。ウェアラブルデバイス１２は、好ましくは、上述のように「緊急モード」にある間に、画像、ビデオ、又は音声の記録をブロックしない。
【００７２】
ブロッキングユニット５０（図２参照）はそれぞれ、ＧＰＳ機能を含み、且つ事前登録された所定位置での使用のみがシステム１０によって承認されてもよい。ブロッキングユニット５０は、これらの承認済位置にあるときにのみブロッキング信号を発するように配置されてもよい。
【００７３】
ウェアラブルデバイス１２は、異なるレベルの機能を提供する異なるユーザインタフェース５２（図４参照）を有することができる。異なる実施形態は、以下のインタフェースを提供する。
・インジケータ専用のインターフェイス（例えば、ユーザが見える小さなＬＥＤランプ及び／又は英数字ディスプレイ）
・オーディオインターフェース（例えば、ノイズ、予め記録されたスピーチ、及び／又は合成されたスピーチ、音声コマンドなど）
・ビジュアルインターフェイス（例えば、眼球追跡コマンド）
・ウェアラブルデバイス１２のレンズを通してビューの上又は傍に重ね合わされ得るグラフィカルインタフェース
・触覚インターフェース（例えば、タッチ、圧力、振動、温度、これらの組み合わせをユーザの皮膚に適用することによってユーザに通信するインターフェース）
【００７４】
ユーザインタフェース５２（図４参照）は、レンズ素子１８と一体化されたディスプレイを含むことができる。いくつかの実施形態では、レンズ素子１８は、以下の機能のうちの１つ又は複数を提供する。
・電力獲得（例えば、レンズ素子１８に組み込まれた太陽電池による）
・可変光伝送
・電力貯蔵（例えば、レンズ素子１８に組み込まれた透明な蓄電デバイス）
・ディスプレイ機能（例えば、１つ又は２つのレンズ素子１８に組み込まれたＬＣＤ、ＬＥＤ及びＯＬＥＤ、及び／又は、１つ又は２つのレンズ素子１８に投影された画像、及び／又は、１つ又は２つのレンズ素子１８に組み込まれたプリズム／光反射器）、及び／又は
・制御入力機能（例えば、１つ又は２つのレンズ素子１８の外面及び／又は縁部にタッチセンサを設けること、又は眼球追跡システムによる）
【００７５】
いくつかの実施形態では、レンズ素子１８は複数の層を含む。図７（図６のレンズ素子１８の断面図である）に示されるように、前記層は、１層以上のレンズ電源５４、１層以上の基板５６、及び１層以上の表示スクリーン５８を含む。
【００７６】
１層以上の前記レンズ電源５４は、ウェアラブルデバイス１２のために電力を生成することに適用される。レンズ電源５４は、ユーザがレンズ電源５４を通して見ることができるように透明であり得る。レンズ電源５４を含む１つ以上の層は、表示スクリーン５８及び／又は基板５６を含む層に隣接して配置され、当該層が基本的に、互いに接触して重なり合うようにする。
【００７７】
図７に示すように、表示スクリーン５８は、好ましくは、レンズ素子１８の内面（すなわち、ユーザの目に最も近い）に配置され、レンズ電源５４は、好ましくは、内面の反対側かつ表示スクリーン５８に隣接する位置に配置され、基板５６は、好ましくは、レンズ電源５４が表示スクリーン５８と基板５６との間に取り付けられるように、レンズ電源５４に隣接して配置される。しかしながら、この層の特定の順序に制限されない。
【００７８】
基板５６は、透明又は基本的に透明であることが好ましい。必要に応じて、それを通過する光を減衰させることができ、及び／又は、レンズ素子１８は、光を減衰させる層又はコーティングを含むことができる。基板５６は、例えば、プラスチック、ガラス、ポリカーボネート及び／またはその類似物などの任意の適切な材料を含んでもよい。いくつかの実施形態では、基板５６は、処方レンズを提供するように成形されて設計される。
【００７９】
レンズ電源５４は、光電池のような太陽電池を含むことができる。光電池は、薄膜光電池を含むことができる。いくつかの実施形態では、太陽電池は、透明導電性酸化物(transparent conducting oxide，TCO)を含む薄膜を含むことができる。例えば、酸化インジウムスズ（ＩＴＯ）、酸化亜鉛（ＺｎＯ）、及び、Ｇａドープ酸化亜鉛（ＧＺＯ）、Ａｌドープ酸化亜鉛（ＡＺＯ）などの不純物ドープＺｎＯなどが挙げられる。いくつかの実施形態では、ＴＣＯは、グラフェンシートの形態として、単一層又は互いに積層された多層などであってもよいグラフェンを含む。
【００８０】
レンズ電源５４が光電池である実施形態では、光電池は、レンズ素子１８を透過する色のバランスを選択的に変化させることができるエレクトロクロミック材料（すなわち、組み合わされた電池の層に亘って電圧を印加することによって、レンズの不透明度を光学的透明から不透明に変化させるように作動する材料）と組み合わせることができる。レンズ素子１８は、そのような電圧を取り消すと、光学的透明状態に戻る。レンズ素子１８の外層は、予め設定された光強度（例えば、５００ルクス）を超えると、「サングラス」効果に自動的に変わる。光強度が予め設定された光強度よりも低くなると、通常の透明度に戻ることができる。
【００８１】
ユーザは、ウェアラブルデバイス１２を手動で制御して、この電圧を印加又は取り消すことができる。例えば、ユーザは、必要に応じて、レンズ素子１８の色及び／又は光学的透明度を改変するための信号を送信することができる。このようなコマンドを受信すると、ウェアラブルデバイス１２は、電圧を印加又は取り消すようになっている。レンズ素子１８の色及び／又は光学的透明度は、照明強度に応じて変化するようにプログラムされてもよい。例えば、アンビエント照明の強度が５００ｌｕｘを超えると、色及び／又は光学的透明度が暗くなるか、又は透明度が低くなり、ユーザの目を保護する。ユーザは、必要に応じて改変をトリガするための強度レベルを変更することができる。
【００８２】
また、ウェアラブルデバイス１２は、光源によって提供される所定の照明レベルがウェアラブルデバイス１２に取り付けられたセンサ３２の１つによって検知されるときに電圧を印加又は取り消すように配置されてもよい。いくつかの実施形態では、光電池は、電源及び光センサの両方として機能する。例えば、電圧を印加する所定の照明レベルを５００ルクス以上に設定し、電圧を取り消す所定の照明レベルを１００ルクス以下に設定してもよい。したがって、ウェアラブルデバイス１２におけるセンサ３２が、照明レベルが少なくとも５００ルクスに達したことを検知すると、ウェアラブルデバイス１２は、電圧を印加してレンズ素子１８の色を不透明にする。センサ３２により照明レベルが５００ルクス未満であると検知されるまで、レンズ素子１８は不透明のままである。そのような場合、ウェアラブルデバイス１２は、電圧を取り消して、レンズ素子１８の色をほぼ透明又は透明（例えば９０〜１００％透明）に戻す。いくつかの実施形態では、センサ３２により照明レベルが閾値（例えば、１００ルクス）未満であることを検知すると、ウェアラブルデバイス１２は、１つ以上のカメラ２６を暗視低光モードに切り替えて、カメラの光に対する感度を高める。
【００８３】
レンズ素子１８は、異なるレベルの不透明度を提供できる。例えば、レンズ素子１８は、センサによって検出された照明レベルに応じて異なるレベルの不透明度を表示する。一例では、検出された照明レベルが３００ルクスに達すると、レンズ素子１８は５０％の不透明度（すなわち、光の約５０％が透過され、光の約５０％が遮られる）に設定され、検出された照明レベルが５００ルクスに達すると、レンズ素子１８は９０％の不透明度に設定される。
【００８４】
レンズ素子１８が不透明になると、光電池は太陽エネルギーを吸収して電気エネルギーに変換する。太陽エネルギーの吸収量は、レンズ素子１８の不透明度のレベルに依存する。光電池は、電池３８に電気的に接続される。光電池から供給されて変換された電気エネルギーは、電池３８を充電するか、表示スクリーン５８を自動的に点灯させることに使用されることができる。
【００８５】
いくつかの実施形態では、レンズ電源５４は、光電コーティングを含む。光電コーティングは、透明であってもよく、例えば、カーボンナノチューブ、カーボンフラーレン及びグラフェンを含む。そのような化合物は、異なる波長の光を吸収し、吸収された太陽エネルギーを電気エネルギーに変換するエネルギー貯蔵材料である。次いで、前記電気エネルギーは電池３８に供給されてもよい。
【００８６】
表示スクリーン５８は、液晶ディスプレイ（liquid crystal display，LCD）、発光ダイオード（light-emitting diode，LED）ディスプレイ、又は具体的に有機発光ダイオード（organic light-emitting diode，OLED）ディスプレイを提供するために、複数の材料層を含んでもよい。表示スクリーン５８は、透明なＯＬＥＤディスプレイを含むことができる。ＯＬＥＤディスプレイを提供するために使用され得る複数の材料層は、例えばＩＴＯ、インジウム亜鉛酸化物（ＩＺＯ）、ＺｎＯなどを含むことができる。透明なＯＬＥＤディスプレイデバイスは、単層又は多層のグラフェンシートを含むことができる。表示スクリーン５８は、可撓性材料層を含むことができるので、平坦であっても湾曲していてもよい。
【００８７】
いくつかの実施形態では、透明なＯＬＥＤディスプレイは、デバイスが照射されたときに、材料層の一方の側からのみ光を放射する。これは、レンズ素子１８の一方の側にのみ表示されることを意味する。このような実施形態では、ＯＬＥＤディスプレイは、ユーザがウェアラブルデバイス１２を着用しているとき、内側表面へ、ユーザの目の方向に光を放出することができる。したがって、ウェアラブルデバイス１２を着用しているユーザのみが、表示スクリーン５８に表示された内容を見ることができる（図７参照）。レンズ素子１８は背景層を含むことができる。背景層は、表示スクリーン５８の前面に配置されてもよい。表示スクリーン５８の前側は、内面よりも外面に近い。ウェアラブルデバイス１２は、背景層の色を濃くするように配置されてもよい。いくつかの実施形態では、背景層の色を完全に暗くすることで、ウェアラブルデバイス１２を着用しているユーザが表示スクリーン５８に表示された、黒い背景と対比をなす内容を見ることを可能にする（例えば、映画館における効果と同様である）。
【００８８】
いくつかの実施形態では、透明なＯＬＥＤディスプレイは、照明されたときに、材料層の両側から光を放射する。これは、内容を両側に表示できることを意味する。このような実施形態では、ウェアラブルデバイス１２を着用したユーザは、表示スクリーン５８に表示された内容を内面から見ることができるだけでなく、ユーザの前にいる他の人も、表示スクリーン５８に表示された内容を、ウェアラブルデバイス１２の外表面から、反対の左右ミラー効果で見ることができる。また、ユーザが見ることのできるディスプレイを提供する第１ＯＬＥＤディスプレイと、外部から見えるディスプレイを提供する第２ＯＬＥＤディスプレイとを提供することも可能である。これらのディスプレイは、異なる情報又はパターンを提供できる。いくつかの実施形態では、外向きのディスプレイは、固定されているか又は経時的に変化する審美的、スタイリッシュな画像を提供する。ユーザは、ユーザが外向きのディスプレイに表示される異なる効果を選択することを可能にするコントロールを有する。
【００８９】
ＯＬＥＤディスプレイが照明されていないとき、レンズ素子１８は、光学的透明、又はほぼ透明であってもよい。したがって、ユーザはウェアラブルデバイス１２を処方ガラス、サングラス、又は単に無線通信用の通信装置として使用するための付属品として使用できる。
【００９０】
表示スクリーン５８は、ユーザが表示スクリーン５８の外側に触れることによってウェアラブルデバイス１２の動作を制御することを可能にするタッチ制御パネルを提供する、逆タッチスクリーン機能を含むことができる。表示スクリーン５８の外側はウェアラブルデバイス１２の外面にある。タッチ制御パネルは、単一及び複数のタッチ動作、例えば、タップ、ホールド、スクロール、プレス及びピンチのうちの１つ又は複数を検出できる。ユーザが表示スクリーン５８の外側にタッチすると、タッチ制御パネルは、その動作を検出して、タッチに応答して信号を生成する。そして、信号を処理してタッチ位置を決定する。その後、タッチスクリーンに表示された機能に従って、タッチの位置を特定のユーザコマンドに関連付ける。逆タッチスクリーンが指で汚れるのを防ぐために、スクリーンにナノ材料をスプレーすることで、防水性又は防汚性を付与することができる。
【００９１】
電池３８は、好ましくは、ウェアラブルデバイス１２を（有線接続又は無線を介して）電源に接続することによって充電することができる充電電池である。電池３８は、ウェアラブルデバイス１２の動作のために主電源を供給するように動作する。いくつかの実施形態では、レンズ電源５４は、表示スクリーン５８又はウェアラブルデバイス１２の動作のために主電源を供給するように動作する。電池３８は、リチウムイオンバッテリ、アルカリバッテリ、硫化ナトリウムバッテリなどのいずれかの適切なタイプのバッテリを含むが、これらに限定されない。いくつかの実施形態では、電池３８は、１層又は複数層のグラフェンシートを含むことができる。
【００９２】
次に、システム１０の動作について説明する。システム１０は、センサ３２からの読取値に基づいてウェアラブルデバイス１２を着用しているユーザのアイデンティティを検証することができる。これは、センサからの読取値又は値のセットを、以前に取得したユーザの基準値又は値のセットと比較することにより実施することができる。システム１０は、他のユーザがウェアラブルデバイス１２を使用することができないように、ウェアラブルデバイス１２を着用しているユーザのアイデンティティを定期的に又は連続的に検証するように配置されてもよい。ウェアラブルデバイス１２は、サーバ１００と無線通信することが好ましい。
【００９３】
ウェアラブルデバイス１２の承認済ユーザーに対応する基準値は、ウェアラブルデバイス１２自体に格納され（例えば、ウェアラブルデバイス１２が承認済ユーザーに割り当てられたときに、ウェアラブルデバイス１２のファームウェアに焼き付けられる）及び／又はデータベース１０４に格納されてもよい。データベース１０４は、各ウェアラブルデバイス１２の承認済ユーザーに関する情報も含むことができる。例えば、データベース１０４は、承認済ユーザーの名前、連絡先情報、医療情報、及び承認済ユーザーに関連するほかの認証情報を含む。好ましくは、適切な許可が与えられていない限り、他人はこの情報にアクセスすることはできない。
【００９４】
システム１０は、ウェアラブルデバイス１２の承認済ユーザーが、信頼できる方法で別のウェアラブルデバイス１２の承認済ユーザーのアイデンティティを取得することを可能にする機能を提供するように配置されてもよい。この機能は、ウェアラブルデバイス１２とサーバ１００との間で様々な方式で分配されたハードウェアとソフトウェアの組み合わせによって提供できる。システム１０は、識別が信頼できることを保証するために、センサ３２を介して生体識別を使用する。
【００９５】
例えば、ウェアラブルデバイス１２は、それぞれの承認済ユーザーに関する情報を交換するように（例えば、別のユーザに近接しているユーザのアイデンティティを確認するように）配置されてもよい。この交換は、ウェアラブルデバイス１２が互いに近接している場合、又は１つのウェアラブルデバイス１２のユーザがそのウェアラブルデバイス１２に別のウェアラブルデバイス１２のユーザのアイデンティティの要求を送信させる場合に、自動的に発生できる。ウェアラブルデバイス１２は、承認済ユーザーに関する情報が別のウェアラブルデバイス１２のユーザに提供される前に、承認済ユーザーからの承認を要求するように配置されてもよい。例えば、システム１０は、視覚的及び／又は音声的認識により、指示を受信してそのような識別情報を共有する。
【００９６】
図１に示されるように、第１ユーザＰａはウェアラブルデバイス１２ａの承認済ユーザーであり、第２ユーザＰｂはウェアラブルデバイス１２ｂの承認済ユーザーである。ユーザＰａがウェアラブルデバイス１２ａのセンサ３２を初期化してユーザＰａに関する生体情報を取得すると、センサ３２から特定された生体情報がユーザＰａの基準情報と一致すると特定されるまで、ウェアラブルデバイス１２ａの検証状態が抑制される。ウェアラブルデバイス１２ａを取り外したあと、さらに着用するごとに初期化ステップを実行する可能性があり、それにより、他人は、ウェアラブルデバイス１２ａが着用され、かつ検証された状態セットで操作している任意の場合に、ウェアラブルデバイス１２ａを着用している人が確実に承認済ユーザーＰａであることを信じている。同様に、他人は、デバイス１２ｂが着用され、かつ検証された状態セットで操作している任意の場合に、ウェアラブルデバイス１２ｂを着用している人が確実に承認済ユーザーＰｂであることを信じている（ウェアラブルデバイス１２ｃの着用者Ｐｃなども同様である）。
【００９７】
検証状態にある前、ウェアラブルデバイス１２の各方面の機能を抑制することができる。それによって、ウェアラブルデバイス１２が承認済ユーザー以外の人に使用されることができないので、盗まれたり、他人に使用されたウェアラブルデバイス１２を保護する。いくつかの実施形態では、検証状態にある前、ウェアラブルデバイス１２のレンズ素子１８は、不透明になり及び／又は外見上の視覚的インジケータ（「このハードウェアは盗まれる」というメッセージなど）を表示するように配置されてもよい。検証状態であるか否かに応じて選択的に禁止されるほかの特性は、以下の通りである。
・サーバ１００にログインするためのクレデンシャルへのアクセス。
・ログやその他のローカル記憶情報を復号するためのクレデンシャルへのアクセス
・サーバ１００との間の通信を復号及び／又は暗号化するためのクレデンシャルへのアクセス
・ユーザインターフェイスの操作、及び／又は
・ディスプレイ、オーディオシステム、又はその他のユーザインターフェイス要素の操作
【００９８】
別の実施形態では、検証状態ではなくとも、他の方面は運転し続けることができる。例えば、ウェアラブルデバイス１２を介して緊急サービスを連絡する能力は、運転し続き、それにより傍観者が緊急サービスを連絡できる。同様に、カメラ２６、マイクロフォン２４、及びＧＰＳコンポーネント３６は、ユーザが緊急サービスからの要求に応じて自分自身を確認し、かつなぜ自分のアイデンティティが承認済ユーザのアイデンティティと異なるのかを説明できる限り、追跡目的のために運転し続けることができる。
【００９９】
ウェアラブルデバイス１２ａが別のウェアラブルデバイス１２ｂに近接しているとき、当該デバイスは、例えばＢｌｕｅｔｏｏｔｈ（登録商標）、ＷｉＦｉ、Ｌｉ−Ｆｉ、４Ｇ又は５Ｇ、近距離通信、又はそのほかのローカル無線通信プロトコルを介して別のデバイスと通信可能である。あるいは、ウェアラブルデバイス１２は、サーバ１００を介して互いに通信することもできる。
【０１００】
システム１０は、ウェアラブルデバイス１２が他のウェアラブルデバイス１２からの信号を直接検出することによって、２つ又は複数のウェアラブルデバイス１２が互いに近接していると判断できる。あるいは、サーバー１００は、ウェアラブルデバイス１２の位置情報（例えば、位置情報は、ＧＰＳシステムの座標、ウェアラブルデバイス１２へのセルラー又は他のデータ接続から特定された座標、及び／又はウェアラブルデバイス１２によって検出されたＷｉＦｉ信号などの分析信号から特定された座標を含む）を受信して、位置情報を比較することによって異なるウェアラブルデバイス１２が互いに近接している時間を特定することができる。
【０１０１】
ウェアラブルデバイス１２ａとウェアラブルデバイス１２ｂとが、互いに近接していると判定され、かつそれらの検証状態セットを有すると、ウェアラブルデバイス１２ａと１２ｂは、それらの承認済ユーザーに関する情報を交換することができる。この情報は音声で提供されてもよく、かつ例えば各承認済ユーザーの実名を含んでもよい。例示的な一実施形態では、ウェアラブルデバイス１２の間で交換される基本情報は、好ましくは、それぞれの承認済ユーザーの名前及びその出生地を含む。承認済ユーザーの生年月日などの一部の情報は、非公開にして交換しなくてもよい（承認済ユーザーが特にそのような情報を共有することを許可する場合を除く）。ウェアラブルデバイス１２ａ及び１２ｂは、どこで、いつで承認済ユーザーに会ったかを記録することができる。
【０１０２】
また、ウェアラブルデバイス１２は、基本情報以外の付加的な情報を交換することもできる（いくつかの実施形態では、交換される情報のタイプは、ウェアラブルデバイス１２の承認済ユーザー及び／又はウェアラブルデバイス１２の管理者によって設定され得る）。そのような情報は、承認済ユーザーに関する以下の情報の１つ又は複数を含むことができる。
・職業、雇用主、職位、組織部門、事業アドレス、又は年齢
・興味、教育又は資格、又は現行の証明書（例えば、応急手当、運転免許証、貿易証明書など）
・連絡先情報（例えば、電話番号、電子メールアドレス、ソーシャルメディアの連絡先情報などの１つ又は複数）
・医療情報（例えば、アレルギー、病状、投薬、血液型など）
・市民権、出身国、又は居住国
・文書情報（例えば、運転免許証番号、パスポート番号、専門家会員番号など）、住所アドレス、及び／又は
・公開暗号化キー、承認済着用者の写真、又は配偶者の有無。
【０１０３】
一実施形態では、上記情報の一部又は全部は、承認済ユーザーから許可が得られた後にのみ交換される（例えば、そのような情報を、承認済ユーザーのアカウントの「私的」領域から「制限」領域に移動する）。信頼できる関係の場合、ウェアラブルデバイス１２は、ユーザのアイデンティティ（例えば、社会保険番号、クレジットカード、パスポートなど）を置き換えることができる。
【０１０４】
いくつかの実施形態では、第１ウェアラブルデバイス１２の第１承認済ユーザーの交換される情報の選択は、第２ウェアラブルデバイス１２の第２承認済ユーザーの役割に依存する。例えば、システム１０は、第２承認済着用者が以下の人であるかどうかに応じて、第１承認済着用者の「制限」領域に異なる情報セットを提供するように構成されてもよい。
・警察官、税関又は入国管理官、最初の承認済着用者の同僚、異性のメンバー、緊急時対応者、隣人及び／又は
・同じ国の同市民。
【０１０５】
交換される情報は、多様な種類のうちのいずれであってもよい。この情報には、承認済ユーザーの「私的」領域における機密及び個人情報が含まれることもある（承認済ユーザーによって許可されている場合）。各情報交換の日付、時間、内容、受信者、並びに環境は、データベース１０４に記録されて、悪用があった場合の追跡を可能にする。これは、生体検証とともに、承認済ユーザーが以下を満たすことに有利である。
・ユーザがサーバ１００から受信した他の承認済ユーザーに関する情報は正確である。
・承認済ユーザーが対話している人は、他の承認済ユーザーであり、他の誰かが他の承認済ユーザーを装うことではない。及び／又は
・自分の機密情報は、機密情報を受け取るべき人にのみ提供される。
【０１０６】
本発明の具体的な態様は、ウェアラブルデバイス１２を登録するための登録プロセスを提供する。ウェアラブルデバイス１２を特定の個人に関連付ける必要がある。ウェアラブルデバイス１２が特定の個人に確実に関連付けられている場合、ウェアラブルデバイス１２は信頼できるネットワークの一部を形成する。これは、取引促進及び人間関係の取り決めのためのウェアラブルデバイス１２に対して多くの可能性を提供する。
【０１０７】
特定のウェアラブルデバイス１２を個人に関連付ける１つの方法は、個人（例えば政府職員）が身分証明書を調べて、その後、識別された個人を特定のウェアラブルデバイス１２にリンクさせ、それにより自分で個人のアイデンティティを直接検証することである。これは実施可能であるが、官僚的で大きな労働力を要する。
【０１０８】
その反対、セルフサービスによる自動無線登録プロセスは、後述する唯一番号とインターロックした特定のウェアラブルデバイス１２から送受信するリンク情報を収集し、既知の特定個人に関する検証情報を収集し、かつ当該特定個人の識別と登録が正確であることを確実にするように、リンク及び検証情報を収集してもよい。
【０１０９】
これは、情報収集と検証情報のリンクを同時にすることと、リンク情報と検証情報が異なる個人に対応できないことを確保するするための監視メカニズムを提供することの一方又は両方によって行うことができる。
【０１１０】
例示的な実施形態では、検証情報は、公的の信頼できるデータベース（例えば、パスポート、身分証明書、運転免許証などの公的証明書を発行する政府機関によって維持されているデータベース）における同じ個人の写真と比較することができる特定の個人の写真を含むことができる。生体情報も公的の信頼されたデータベースに格納されている場合、検証情報は生体情報を含むこともでき、或いは選択として生体情報を含めることもできる。他の確証される検証情報（特定の個人に知られているが、他人に容易に知られていない情報など）の使用は、検証情報の一部を形成してもよい。
【０１１１】
リンク情報は、（１）特定のウェアラブルデバイス１２を確認する情報と、（２）特定の個人を確認する情報との組み合わせを含むことができる。例えば、特定のウェアラブルデバイス１２を確認するリンク情報は、ウェアラブルデバイス１２に組み込まれた不変のシリアル番号（又は複数のシリアル番号の組み合わせ）を含むことができる。特定の個人を確認するリンク情報は、ウェアラブルデバイス１２のセンサによって収集された生体情報を含むことができる。
【０１１２】
登録プロセスは、特定の人Ｐａ、Ｐｂ、Ｐｃをそれぞれ対応するウェアラブルデバイス１２ａ、１２ｂ、１２ｃにリンクすることを含む。ウェアラブルデバイス１２は、ウェアラブルデバイス１２の特定の機能を起動する前に、このような登録プロセスが実行されるように要求するように構成されてもよい。例えば、承認済ユーザーが、カメラ２６、マイクロフォン２４、又はＧＰＳコンポーネント３６（図２及び図３参照）にアクセスするなど、ウェアラブルデバイス１２によって提供される任意の特性を使用する前に、登録が必要とされ得る。あるいは、ユーザが銀行口座又は電子ウォレットへのアクセス、又は認証を必要とするサービスへのアクセスなど、ウェアラブルデバイス１２の高度な特性を使用する前に、登録が必要とされてもよい。
【０１１３】
図８及び９は、登録プロセスの例を示す。ユーザは登録プロセスを（例えば、ウェブサイトにアクセスするか、又はウェアラブルデバイス１２又は他のネットワーク接続デバイス上で運行するアプリケーションをアクティブ化することによって）起動する。登録プロセスが起動された後、ユーザは、ウェアラブルデバイス１２を着用していない場合、ウェアラブルデバイス１２を着用する。そして、前記ウェアラブルデバイス１２は、ユーザに関する生体情報を取得するためにセンサ３２のうちの１つ又は複数を動作させる。ウェアラブルデバイス１２とは別のモニタリング装置６０は、ユーザの写真を取得するために動作することができる。一実施形態では、当該写真は、生体情報と基本的に同時に取得されてもよい。いくつかの実施形態では、登録プロセスは、検証情報の取得と生体情報の取得との間で、同一の個人によってウェアラブルデバイス１２が継続的に着用されることを保証する。
【０１１４】
いくつかの実施形態では、検証情報は、特定のウェアラブルデバイス１２も確認する情報を含む。これは、例えば、ウェアラブルデバイス１２に、モニタリング装置６０によって検出された唯一の信号（例えば、点滅パターン）を送信させることによって達成できる。
【０１１５】
図８は、登録プロセスの一例を示す説明図である。この例では、モニタリング装置６０は別個の計算装置を含む。モニタリング装置６０は、ウェアラブルデバイス１２とは別個であるが、それに無線接続されている。モニタリング装置６０は、少なくとも１つの画像キャプチャ装置６２（例えば、内蔵又は取り付けられたカメラ）を含み、サーバ１００と通信可能である。
【０１１６】
上述したように、サーバ１００は、データベース１０４に接続されている。サーバ１００は、別個の承認済の信頼できるデータベース１０８をメンテナンスする１つ以上の承認済の信頼できる機関１０６にも接続されている。あるいは、データベース104は、承認済の信頼できるデータベース108からのデータを既に含むことがある。承認済の信頼できる機関106は、例えば、政府機関を含むことができる。
【０１１７】
図９は、登録プロセスの一例を示すフローチャートである。この例では、ユーザは、例えばモニタリング装置６０を介してサーバ１００にログオンすることによって登録を開始する。次に、ユーザは、ウェアラブルデバイス１２に関連付けられた少なくとも１つの唯一コードをサーバ１００に入力してアップロードする。唯一コード、例えば、ウェアラブルデバイス12のシリアル番号を含んでいてもよい。いくつかの実施形態では、ウェアラブルデバイス１２をモニタリング装置６０に接続することによって、唯一コードをウェアラブルデバイス１２から直接読み取ることができる。いくつかの実施形態では、登録プロセスの開始は、ウェアラブルデバイス12自体がアプリケーションを実行して登録プロセスを開始することによりトリガされてもよい。 他の実施形態では、ユーザは、唯一コードを組み込んだシンボル又はパターンをスキャンすることによって、キーボードを用いて唯一コードを入力することができる。各ウェアラブルデバイス12の唯一コードは、ウェアラブルデバイス12の承認された製造者によってデータベース104に予めアップロードされていてもよい。
【０１１８】
サーバ１００は、ユーザによって入力された唯一コードを受信する。サーバ１００は、データベース１０４にアクセスし、ユーザが入力した唯一コードと、承認された製造者によってデータベース１０４に格納された唯一コードのコレクションとの照合を試みる。このステップの結果は、ウェアラブルデバイス１２の信頼性を検証することに用いられ、偽造品を防止する。ユーザが入力した唯一コードがデータベース１０４に格納された唯一コードのコレクションで見つからない場合、ウェアラブルデバイス１２が偽造品であるか、ユーザが間違った唯一コードを入力するかを示す。検証ステップが失敗した場合、登録プロセスは、続行しないか、又はサーバ１００がさらなる調査のためにユーザをマークした状態で継続する。
【０１１９】
サーバ１００が、唯一コードが、特定の人に既に登録されているウェアラブルデバイス１２に対応すると判定した場合、検証ステップが失敗する可能性もある。この場合、サーバ１００は、ユーザに更なる援助を求めるように請求する。
【０１２０】
次に、ユーザは、例えば、名前、アドレス、生年月日、出生地、運転免許証番号、パスポート番号、社会保険番号、電話番号、雇用者及び／又はクレジットカード番号の１つ又は複数を含む個人情報を提供する。このような個人情報は、サーバ１００にアップロードされることができ、かつユーザに対してアカウントを作成することに用いられ、それによりこのような個人情報をデータベース１０４に格納する。当該情報は、ユーザのアカウントの「私的」領域に格納され得る。これにより、他人がこの情報にアクセスすることを防くが、サーバ１００は、自動検証の目的で当該情報を使用することができる。
【０１２１】
次に、ユーザは、ウェアラブルデバイス１２を着用し、画像キャプチャ装置６２の方を向けるように指示される。モニタリング装置６０は、ウェアラブルデバイス１２を着用したユーザの少なくとも１つの顔画像を捉える画像キャプチャ装置６２を向けるようにユーザを促すメッセージを表示することができる。そのあと、顔画像は、モニタリング装置６０からサーバ１００に伝送され、データベース１０４に格納される。その後、サーバ１００は、検証のために、顔画像を承認済の信頼できる機関１０６に伝送することができる。
【０１２２】
生体情報は、ウェアラブルデバイス１２の１つ又は複数のセンサ３２を使用して取得される。前記生体情報は、ウェアラブルデバイス１２にローカルに格納され、及び／又は、サーバ１００にアップロードされてデータベース１０４に格納され得る。また、サーバ１００は、検証のために、生体情報を承認済の信頼できる機関１０６に伝送することができる。
【０１２３】
ウェアラブルデバイス12は、動きを検出するためのセンサ32（例えば、センサ32b）を備えてもよい。動きセンサ32bは、ユーザがウェアラブルデバイス12を着用すると、ウェアラブルデバイス12の任意の動きを検出する。動きセンサ３２ｂの出力は、サーバ１００に伝送し、及び／又は、プロセッサ２２によって処理されることができ、さらに、他のセンサ３２を検証又は選択的に監視することにより、ウェアラブルデバイス１２が連続的に着用されることを確保することもできる。他のセンサ32は、生体情報を取得するための同じセンサ32の一部又は全部を備えてもよい。
【０１２４】
動きセンサ３２ｂが登録プロセスの間に、ウェアラブルデバイス１２を着用しているユーザの顔画像のキャプチャと、ユーザの生体情報の取得との間のある時点に、ユーザがウェアラブルデバイス１２を取り外したことを示すウェアラブルデバイス１２の動きを検知するか否かをサーバー１００に通知することができる。このチェックは、ユーザが顔画像の取得と生体情報の取得との間の全期間にウェアラブルデバイス１２を取り外さないことを保証する。ユーザが登録プロセスの間にウェアラブルデバイス１２を移動又は取り外したことがサーバ１００に通知された場合、登録プロセスが失敗し、又は再起動が必要になる可能性がある。
【０１２５】
偽造を更に防止するために、第２回のチェックを提供することができる。いくつかの実施形態では、ウェアラブルデバイス１２は、顔画像を捉えるときにコードを表示することができる。当該コードは、例えば、各ウェアラブルデバイス１２の登録のためにサーバー１００で一意的に生成された色、数字、又は点滅パターンのランダムな組み合わせを含むことができる。サーバ１００は、当該コードをウェアラブルデバイス１２に伝送して表示させる。前記コードは、表示スクリーン５８に表示されてもよい。コードは、顔画像が捉えれているときに画像キャプチャ装置６２により視認可能なウェアラブルデバイス１２における任意の他の適切な場所に表示されてもよい。モニタリング装置６０からの信号を受信したときに伝送を行う。
【０１２６】
ウェアラブルデバイス１２でのコードの伝送及び表示は、顔画像及び生体情報のキャプチャの前（及び／又はその間又は直後）に実行されてもよい。このようにして、表示されたコードを顔画像と共に捕捉することができる。顔画像を受信したとき、サーバ１００は、顔画像内に捉えられた表示コードを比較して、キャプチャされ顔画像内に可視であるコードが特定のウェアラブルデバイス１２の登録のために生成された正しいコードであることを検証する。
【０１２７】
上記チェックの１つの目的は、２人以上の人が（例えば２人の異なる人の検証情報を提供することによって）システム１０を「ゲーム」しようとするのを防ぐことである。このような追加チェックは、ユーザＰａが自分の個人情報及び顔画像をサーバ１００にアップロードするが、ユーザＰｂ（画像キャプチャ装置６２の視野にいない者）が、生体情報取得ステップの間にウェアラブルデバイス１２を着用する場合を防止する。このような場合、ウェアラブルデバイス１２内のメモリに記憶された生体情報は、ユーザＰａの生体情報に対応せず、ユーザＰｂ（偽のアイデンティティを使用する）がユーザＰａのアイデンティティを使用してウェアラブルデバイス１２へアクセスすることを誤って許可する。
【０１２８】
このような状況が検出された場合、ウェアラブルデバイス１２はシステム１０内で疑わしいとフラグを立てられ（後述）、その活動が監視される。
【０１２９】
次に、サーバ１００は、ユーザ情報（ユーザによって入力された）と、顔画像と、生体情報とを検証のために１つ以上の承認済の信頼できる機関１０６に伝送する。これは、承認済の信頼できる機関１０６によってメンテナンスされる、承認済の信頼できるデータベース１０８に含まれる情報に対して、ユーザ自分が記録した情報、顔画像及び生体情報をチェックするためである。
【０１３０】
いくつかの実施形態では、顔認識エンジンをサーバ１００に組み込む。このような実施形態では、１つ以上の承認済の信頼できる機関１０６は、サーバによって要求されると、特定のユーザの１つ又は複数の顔画像をサーバ１００に伝送する。顔認識エンジンは、先に捉えられた顔画像を承認済の信頼できる機関１０６によって送信された検証済み顔画像とマッピングして、ユーザのアイデンティティを検証する。他の実施形態では、顔認識エンジンを、承認済の信頼できる機関１０６のサーバに組み込むことができる。そのような実施形態では、承認済の信頼できるデータベース１０８に格納された検証済み顔画像と、捉えられた顔画像とのマッピングは、承認済の信頼できる機関１０６のサーバで実行される。その後、検証結果は、承認済の信頼できる機関１０６のサーバからサーバ１００に送信される。
【０１３１】
場合によっては、承認済の信頼できる機関１０６との間で画像を送信することに代わり、画像を合理的に一意に識別する「指紋」又は他の特性を送信してもよい。当該指紋は、顔画像から計算された指紋と比較して、モニタリング装置６０によって取得された顔画像が、承認済の信頼できる機関１０６に記録されたユーザの１つ又は複数の画像と一致するかどうかを特定することができる。
【０１３２】
顔画像の認証に加えて、ユーザ自分が記録したクレデンシャル及び／又は生体情報は、サーバ１００によって、アイデンティティ検証のために、承認済の信頼できる機関１０６のサーバに伝送されてもよい。承認済の信頼できる機関１０６のサーバは、承認済の信頼できるデータベース１０８に含まれる情報を、サーバ１００によって伝送されたクレデンシャル及び／又は生体情報と比較して、ユーザのアイデンティティを検証する。
【０１３３】
モニタリング装置６０で受信されたすべての情報が、承認済の信頼できる機関１０６に格納された認定情報と一致する場合、登録プロセスは完了する（したがって、ユーザが承認される）。したがって、ユーザの個人及び生体情報は、特定のウェアラブルデバイス12に関連付けられる。そのような情報は、データベース１０４に格納され、承認済の信頼できる機関１０６の承認済の信頼できるデータベース１０８に格納されてもよい。
【０１３４】
ユーザ自分が記録したクレデンシャル、生体情報、及び／又は顔画像のいずれかが、承認済の信頼できる機関１０６によってメンテナンスされる情報と一致しない場合、又は、ユーザ自分が記録したクレデンシャルが、既にデータベース１０４に存在する（例えば、ユーザがすでに登録されているウェアラブルデバイス１２を登録しようとしている）場合、様々なアクションが可能である。一例では、承認済の信頼できる機関１０６によってメンテナンスされる認定顔画像は、画像キャプチャ装置６２によって捉えられた顔画像とは著しく異なる場合がある。これらの２つの顔画像は同じ人物を表すが、異なる時間帯に捉えれるものであり、顔の特徴が変わった。そのような状況では、サーバ１００は、モニタリング装置６０で、ユーザに対して指定されたある機関（例えば、パスポートオフィス）での写真を更新するように通知される。新たな顔画像が承認済の信頼できる機関１０６に更新されるまで、ユーザのウェアラブルデバイス１２へのアクセスや操作は阻止されることがある。
【０１３５】
別の例では、ウェアラブルデバイス１２は、それが適切に登録されているかのように動作可能にされてるが、ユーザのアイデンティティが疑わしいことを示すようにウェアラブルデバイス１２にフラグを立てる可能性がある。システム１０は、ユーザが偽造情報を使用して自分を登録しようとした場合に、ウェアラブルデバイス１２を疑わしいものとしてフラグを立てるように構成されている。例えば、サーバ１００は、登録プロセスの間に、ユーザ自分が真実に記録したクレデンシャル／顔画像をサーバ１００にアップロードする３つの機会をユーザに許可するようにプログラムされる。ユーザが失敗すれば、ユーザが登録しようとしているウェアラブルデバイス１２は疑わしいとフラグされる。いくつかの実施形態では、ウェアラブルデバイス１２にフラグが立てられたときに、関連当局が自動的に通知される。このような場合には、関連当局はこのようなウェアラブルデバイス１２を追跡できる。特定の実施形態では、システム１０は、そのようなユーザに疑わしいフラグを取り除く機会を与えることができ、それは、例えば、ウェアラブルデバイス１２の表示スクリーン５８に通知を送信してユーザのアイデンティティが疑わしいことを示すことにより実現する。次いで、ユーザは、最も近い政府機関（例えば、警察署）に行ってアイデンティティチェックを行うことができる。関連当局は、サーバ１００にアクセスして、承認したときに特定のウェアラブルデバイス１２に関連する疑わしいフラグを取り除く権限を有する。
【０１３６】
唯一コード（ウェアラブルデバイス１２のシリアル番号であってもよい）は、特定のウェアラブルデバイス１２を特定し、登録プロセスにおいて特定のウェアラブルデバイス１２を１人のユーザに関連付けるために使用される。唯一コードは、各ウェアラブルデバイス１２を特定する複数の唯一識別番号と共にデータベース１０４に格納することができる。各唯一コードは１組の唯一識別番号に対応する。登録プロセスにおいて特定のユーザと各唯一コードとの関連付けが成功すると、この１組の唯一識別番号もユーザにリンクされる。したがって、ウェアラブルデバイス１２の登録時に、各組の唯一識別番号は、各ユーザの生体情報にリンクされる。特定の実施形態では、唯一コードは登録プロセスでのみ使用される。そのような唯一コードは、登録プロセスが完了した後にデータベース１０４から永久に除去されてもよく、除去されなくてもよい。したがって、この１組の唯一識別番号は、サーバ１００及びデータベース１０４又は承認済の信頼できる機関１０６のサーバの識別子として使用されて、各ウェアラブルデバイス１２の登録ユーザをデバイスの登録後に特定する。この１組の唯一コード内の身分識別は、ロックインされたウェアラブルデバイスが想定されていない人によってハッキング、盗難、又は乱用されるのを防止するために、様々なアルゴリズムを利用できる。
【０１３７】
複数の唯一識別番号は、ハードウェア識別情報を含んでもよい。そのような情報は、通常ネットワークを介して送信されたり、インターネットに晒されたり、又はメディアアクセス制御（Media Access Control，MAC）アドレスなどのようなインターネットプロトコル（(Internet Protocol，IP）アドレスに組み込まれたりしない情報を含む。ハードウェア識別情報は、電子に記録することができ、かつ承認された製造者によってウェアラブルデバイス１２に組み込まれた１つ以上のハードウェアコンポーネントに固定又はエッチングされることができる識別子を含む。換言すれば、ハードウェア識別情報は、各ウェアラブルデバイス１２の静的な識別子を含む。ハードウェア識別情報の非限定的な例としては、中央処理装置（central processing unit，CPU）のシリアル番号、プリント回路基板（printed circuit board，PCB）のシリアル番号、国際携帯機器識別番号（(international mobile equipment identity，IMEI）を含むが、それらに制限されない。
【０１３８】
各登録済みのウェアラブルデバイス１２のハードウェア識別情報及び対応するユーザ情報（例えば、生体情報、個人情報、及び顔画像）とのセットは、検証目的のために、承認済の信頼できる機関１０６によってデータベース１０４に格納されることができる。
【０１３９】
ユーザが登録を完了すると、各登録ユーザ及びリンクされたウェアラブルデバイス１２のためにデータベース１０４にユーザアカウント１１０（図１０参照）がセットアップされる。ユーザアカウントは、ユーザのプロファイルデータ112を含んでもよい。
【０１４０】
別の実施形態では、各登録済みのウェアラブルデバイス１２は、いつでも他の機関と通信することに適用される。各通信は、ウェアラブルデバイス１２からサーバ１００を介して他の機関のサーバへの情報の伝送を含む。各通信は、ユーザ認証プロセスから始まる。認証プロセスを実行することにより、他の機関はデータの伝送に先立ってウェアラブルデバイス１２のアイデンティティを確認することができる。そのようなデータは、他の機関が銀行であると、取引の完了を含むことができ、他の機関が警察であると、緊急電話をかけることを含む。これによって、他の機関は、ユーザが自己確認すること（例えば、緊急時に貴重な時間の浪費となるパスワードの使用）を要求することなく、ユーザの真実のアイデンティティを確実に確認することができる。
【０１４１】
特定の実施形態では、システム１０を不正ユーザによる攻撃から保護するために（例えば、認証プロセスにおいてハッカーがウェアラブルデバイス１２から承認済の信頼できる機関１０６のサーバへの情報をインターセプトすることを防止するために）、それぞれのウェアラブルデバイス１２が1つ以上の動的識別子を生成する。サーバ２８は１つ以上の動的識別子を生成できる。動的識別子は、ハードウェア識別情報の一部又は全部に基づくデータを使用して（適切なアルゴリズムを使用して）生成することができる。動的識別子は、所定の時間内に自動的に更新又は変更するようにプログラムされてもよい。いくつかの実施形態では、各認証プロセスの前又はその期間に動的識別子を更新することができる。１つ以上の動的識別子は、ユーザにより視認可能にウェアラブルデバイス１２に印刷されるか、又は、ユーザによって位置決め及び検索可能な方法でウェアラブルデバイス１２内のメモリ４０にローカルに格納されることしない。動的識別子はユーザに開示されておらず、必ずしも固定フォーマットである必要はない。
【０１４２】
ウェアラブルデバイス１２は、失われ、或いは予め設定された期間に使用されない場合、前記ウェアラブルデバイス１２は運転を停止させることができる。ウェアラブルデバイス１２に欠陥がある場合、前記ウェアラブルデバイスは、この特定のウェアラブルデバイス１２の検証を中断することができる。その後、ユーザは、当該検証を、同じ登録ユーザの別のウェアラブルデバイス１２に切り替えることができる。ユーザが現在着用しているアクティブしたウェアラブルデバイス１２のみは正常に運転して検証し、他の（現在、非着用の）ウェアラブルデバイス１２は暗くなり、システム１０内で停止する。
【０１４３】
認証プロセスの間、動的識別子はサーバ１００から承認済の信頼できる機関１０６のサーバに送信される。承認済の信頼できる機関１０６のサーバは、動的識別子を復号して元のハードウェア識別情報のセットを再生することに適用される。次いで、承認済の信頼できる機関１０６のサーバは、動的識別子から復号されたハードウェア識別情報のセットを、そのデータベースのメモリに本来に記憶されたハードウェア識別情報のセットと照合する。２つのハードウェア識別情報のセットが一致する場合に、登録ユーザのアイデンティティを認証する。認証が成功すると、登録ユーザは、ウェアラブルデバイス１２を使用して、承認済の信頼できる機関１０６のサーバにデータを伝送し続け、或いは承認済の信頼できる機関１０６のサーバと通信することができる。認証が失敗したと（すなわち、復号されたハードウェア識別情報のセットがそのデータベースに本来に記憶されているセットと同じでない場合）、ユーザはウェアラブルデバイス１２を使用して承認済の信頼できる機関１０６のサーバにデータを伝送し、或いはそれと通信することを防止することができる。
【０１４４】
アルゴリズムの多様性は、複数のハードウェア識別情報の暗号化及び復号に適用されてもよい。アルゴリズムは、加算、減算、乗算、除算、平方根演算、三角関数、二次関数、これらの組み合わせ、より複雑な関数などの算術演算を含むことができる。いくつかの実施形態では、暗号化は、公開鍵暗号化アルゴリズムを使用して実行される。当業者であれば、多くの異なる算術演算の組み合わせは、複数のハードウェア識別番号を使用して動的識別子を生成することが可能であると理解すべきである。アルゴリズムの一例は、ハードウェア識別番号Ｂ（例えば、Ｂがプリント回路基板にエッチングされたシリアル番号である）からハードウェア識別番号Ａ（例えば、Ａが中央処理装置にエッチングされたシリアル番号である）を減算し、さらにハードウェア識別Ｃ（例えば、Ｃが国際携帯機器識別番号である）に加算する演算を含む。別の例示的なアルゴリズムは、ハードウェア識別番号Ａ（例えば、Ａが中央処理装置にエッチングされたシリアル番号である）の平方根を求め、ハードウェア識別番号Ｂ（例えば、Ｂがプリント回路基板にエッチングされたシリアル番号である）に加算して、次にその結果をハードウェア識別Ｃ（例えば、Ｃが国際携帯機器識別番号である）で除算する演算を含む。いくつかの実施形態では、異なるアルゴリズムは、例えば、性別、年齢、婚姻状態、郵便番号、特定の生体特性、又は時刻などに応じて、所定の時間にエンドユーザの異なるグループに適用できる。例えば、所定の時間に、特定のアルゴリズムはすべての女性のエンドユーザに使用し、別のアルゴリズムはすべての男性のエンドユーザに使用することができる。アルゴリズムは時々（定期的又は不定期的に）切り替えて、或いは更新することができる。この不規則な複雑さの目的は、ハッカーがシステム１０をハッキングするのを防ぐことである。
【０１４５】
図１０は、本発明の例示的な実施形態によるユーザを認証して当該ユーザが登録済みのウェアラブルデバイス１２にアクセスできるかどうかを判定する方法を示す。ユーザはまず、ウェアラブルデバイス１２をユーザの身体に固定する。ウェアラブルコンピューティングデバイス１２がユーザの身体に適切に固定されると、ウェアラブルデバイス１２に取り付けられたセンサ３２は、ユーザの生体情報の収集を開始する。次いで、ウェアラブルデバイス１２によって生体情報を処理してユーザのアイデンティティを認証する。収集された生体情報が、ウェアラブルデバイス１２のメモリ４０に記憶され及び／又はデータベース１０４から検索された登録ユーザの基準生体情報と一致する場合、ユーザのアイデンティティを認証し、かつウェアラブルデバイス１２を検証状態に切り替える。登録済みのウェアラブルデバイス１２が検証状態になると、ユーザはウェアラブルデバイス１２にアクセスすることが許可され、例えば、カメラ２６、マイクロフォン２４、ＧＰＳコンポーネント３６、ユーザインタフェース５２のうちの１つ又は複数を使用して、及び／又は無線ネットワーク１０２へアクセスすることが許可される。
【０１４６】
無線ネットワーク１０２にアクセスすることにより、ユーザは、登録済みのウェアラブルデバイス１２を、例えば、電話、タブレット、ラップトップ、ドア（家又は車両）及び／又は類似物などのユーザの追加のコンピューティングデバイスの１つ又は複数にリンクさせることができる。追加のコンピューティングデバイスにアクセスするためのパスワード及び／又は暗号化クレデンシャルは、暗号化された形式でウェアラブルデバイス１２に格納され、或いは自分のオンラインアカウントにアップロードされ、かつウェアラブルデバイス１２がその検証状態にあるときに利用可能になる。ウェアラブルデバイス１２が追加のコンピューティングデバイスと通信を確立した後、ユーザは、登録済みのウェアラブルデバイス１２にコマンドを送信することによって、追加のコンピューティングデバイスを遠隔制御及び動作させることができる。例えば、ユーザは、ウェアラブルデバイス１２のマイクロフォン２４に音声コマンドを送信することによって、接続された電話機（未図示）から音声電話呼び出しを行うことができる。代替的に又は追加的には、ユーザは、ウェアラブルデバイス１２によって捉えられたジェスチャーを用いて、１つ以上の追加のコンピューティングデバイスにおけるグラフィカルユーザインターフェースを制御することができる。更に、ウェアラブルデバイス１２は、ウェアラブルデバイス１２にリンクされているものである限り、ドローン、車両、ロボット、真空掃除機、ドア、電気器具などの他のアイテムを制御することもできる。
【０１４７】
無線ネットワーク１０２にアクセスすることにより、ユーザは、サーバ１００を介してデータベース１０４内のユーザアカウント１１０にアクセスすることもできる。ユーザは、ユーザアカウント１内のプロファイルデータ１１２に対して特定の方面を変更できる。プロファイルデータ１１２のいくつかのアイテムを変更するには、データベース１０４における登録ユーザに関する情報が常に信頼できるように、検証が必要な場合がある。
【０１４８】
プロファイルデータ１１２は、ユーザによってウェアラブルデバイス１２又は他のコンピュータデバイスからデータベース１０４にアップロードされた内容を含む。このような内容の例には、ウェアラブルデバイス１２に組み込まれたカメラ２６によって撮影された画像及びビデオ、登録ユーザと他のユーザとの会話、及びユーザによって作成されたテキスト素材を含む。
【０１４９】
ユーザはまた、他のユーザのプロファイルデータ１１２の少なくとも特定の情報を見ることができる。登録ユーザは、選択された登録ユーザの一部又は全部と特定の情報を共有することを選択できる。例えば、「公開」領域における情報は、すべてのユーザに表示される。「制限」領域における情報は、予め選択されたユーザ、例えば、近親者、友人、救急隊員（緊急の場合）にしか表示されない。「私的」領域における情報は、登録ユーザ自身によってしか閲覧、変更、削除することができない。「コマーシャル」領域における情報は、ユーザの好みに応じて、他のユーザにより閲覧されてもよく、他のユーザにより閲覧されなくてもよい。例えば、ユーザは、購入した特定商品を他人に示すことを望む可能性がある。この情報は、ユーザの「コマーシャル」領域に表示されることができる。ユーザが当該情報を表示したくない場合、情報は非表示のままであるが、統計情報は引き続き保持される。各登録ユーザが生体検証されるので、承認されていないユーザはパスワードを推測することによってデータベース１０４内の情報にアクセスすることができない。これにより、ハッカーが登録ユーザの禁止領域に入るのを防ぐ。
【０１５０】
また、サーバ１００はウェブサーバ１１４に接続されることができ、それによりユーザが自分の「制限」「公開」又は「コマーシャル」領域を介して互いにデータを共有することを可能にするソーシャルメディアプラットフォームをホスティングする。登録ユーザは、特定の情報を選択して、共有又は機密保持することが可能である。一部のデータを「制限」領域における「緊急データ」と見なして、登録ユーザのアイデンティティの真正性を心配する必要がないように、所定の緊急時対応プロバイダに直接伝送することもできる。緊急事態では、音声又は眼球追跡によって援助を求めることはできる。
【０１５１】
プロファイルデータ１１２は、私的データ、制限データ、公開データ、及びコマーシャルデータを含んでもよい。ユーザーは、個々のプロファイル領域を私的データ、公開データ、制限データ及びコマーシャルデータの１つとしてマークすることができる。私的データは、ユーザが誰とも共有したくないアイテムを含む。制限データは、警察、近親者、友人、雇用者／従業員、又は同僚などの政府機関又は信頼できる機関と共有したいアイテムを含む。制限プロファイルデータは、自動的かつ瞬時に承認済機関に伝送されることができる。特定の実施形態では、そのような承認済機関は、新たな制限プロファイルデータを受信すると、すぐに警告し、又は通知する。公開データは、ユーザが共有したいため、すべての登録ユーザがアクセスすることができるアイテムを含む。コマーシャルデータは、登録ユーザが他人と共有したく、あるいは又は共有したくないショッピング行動に関するデータを含む。
【０１５２】
いくつかの実施形態では、ウェアラブルデバイス１２は、ウェアラブルデバイス１２からサーバ１００に特定のアイテム／アクティビティを自動的にアップロードするようにプログラムされることができる。サーバ１００は、アップロードされたアイテム／アクティビティを制限プロファイルデータとしてデータベース１０４に格納してもよい。そのようなアイテムは、ユーザからウェアラブルデバイス１２へ入力して、緊急事態を示す予め選択された文字を含むテキスト又は音声など、緊急支援を必要とする活動を含む。「ヘルプ」、「レスキュー」、「９１１」、及び／又は「警察」などの言葉は、ウェアラブルデバイス１２のカメラ２６をオンにしてビデオ撮影を開始し、かつ即座にサーバ１００にアップロードするコマンドとして解釈されてもよい。同様に、ウェアラブルデバイス１２におけるセンサ３２（目の動きを追跡するセンサ３２など）は、眼球の特定の動きを追跡することによってカメラ２６をオンにする緊急コマンドを検出するようにプログラムされてもよい。次いで、ビデオは、ユーザからの音声入力を必要とせずに、自動的にアップロードされて、データベース１０４に格納される。
【０１５３】
ユーザは、自分のウェアラブルデバイス１２に特有の緊急コマンドを自分でプリプログラムすることもできる（例えば、ユーザは、自分のウェアラブルデバイス１２に、「天気はどうですか」又は「可愛いですね」又は「しばらく話しましょう」というフレーズを緊急起動コマンドとしてプログラムすることができる）。そのような種類の緊急コマンドは、いかなる加害者にも警告されることなく、関連する緊急機関に通知されるように使用され得る。そのような例では、「天気はどうですか」又は「可愛いですね」又は「しばらく話しましょう」というフレーズのテキスト又は音声入力がウェアラブルデバイス１２に入力されると、緊急事態が示される。その結果、ビデオ撮影機能はすぐにオンになってアップロードする。記録されたビデオファイルは、サーバ１００に同時にアップロードされ、ユーザの「制限」領域に格納されることができる。そのようなデータは、適切な緊急機関（例えば、警察署）に自動的に伝送されてもよい。これは、ユーザーが緊急電話をしたり、話したりすることができない緊急時に特に役立つ。緊急機関は、登録プロセスで使用される承認済の信頼できる機関１０６と同じであってもよく、それと異なっていてもよい。
【０１５４】
いくつかの実施形態では、ウェアラブルデバイス１２は、１つ以上の緊急ボタン６４を備える。１つ以上の緊急ボタン６４は、レンズ素子１８及び／又はアーム１４に配置されることができる。特定の実施形態では、センサ３２を介して緊急信号をアクティブして目の動きを追跡することに用いられることができる。緊急ボタン６４のうちの１つをアクティブすると、ビデオ撮影が直ちに開始され、サーバ１００のユーザの「制限」領域へのアップロードが開始される。
【０１５５】
図１１は、ウェアラブルデバイス１２の緊急コマンドをアクティブさせる方法の例示的な応用を示すフローチャートである。ユーザは、自分のウェアラブルデバイス１２で予めプログラムされた緊急コマンドをアクティブする。緊急コマンドは、テキスト、音声コマンド、タッチコマンド、又はサイレント眼球追跡コマンドの形であってもよい。次に、ウェアラブルデバイス１２は、緊急コマンドを受信するとカメラ２６を作動させる。カメラ２６は、少なくとも１つの周囲環境の画像及び／又はビデオをキャプチャして、（トランシーバ３０を介して）サーバ１００にアップロードする。カメラ２６に応じて、捉えられた画像及び／又はビデオは、ユーザの視界を越える場合もある。
【０１５６】
サーバ１００にアップロードされた少なくとも１つの画像及び／又はビデオは、ユーザの「制限」領域に自動的に配置され、ユーザがデータを更に分類する必要はない。少なくとも１つの当該画像及び／又はビデオは、警察署などの適切な緊急機関に伝送される。各画像は、各画像及び／又はビデオに関連するメタデータとして記憶される情報を含み、当該情報は、画像を取得し、及び画像及び／又はビデオを作成する日付、地理的位置を取得する特定者を確認する（詳細後述）。１つ以上の画像及び／又はビデオを受信した緊急機関は、ユーザからのさらなる入力を必要とすることなく、行動することができる。
【０１５７】
システム１０は、ウェアラブルデバイス１２によって撮影された画像データ、ビデオデータ、又はオーディオデータに電子透かし又は他の情報を自動的に埋め込み、かつ対応する承認済ユーザーにリンクすることができる。この情報には、誰が何をしたか、北又は南に関連する角度、時間、及び位置のうちの１つ又は複数を含んでもよい。
・画像、ビデオ、又は音声を撮影した登録ユーザを特定する情報
・画像、ビデオ、又は音声を撮影するウェアラブルデバイス１２のユーザを特定する情報
・画像、ビデオ、又は音声を撮影する日付（この情報は、例えば、ウェアラブルデバイス１２のＧＰＳ調整リアルタイムクロックを使用して取得できる。）
・画像、ビデオ、又は音声が取得された場所（及び標高）（例えば、座標、国、都市、近くのランドマークなど）、及び／又は
・画像、ビデオ、又はオーディオに示されている内容に関する情報
【０１５８】
ウェアラブルデバイス１２によって撮影された画像の検証可能なリンケージの一例は、
「www.mefon.ca/ca.wang.shan.kunming.cn/275.68/seen-obama-in-NY.us/161130153048/A-95.68/N-48.376/W-30.2514」であってもよい。これは、データベース１０４がカナダに位置すること、及び画像に関する他の情報（例えば、緯度４８．３７６°Ｎ、経度３０．２５１４°Ｗ、標高９５．６８メートル、北に対して２７５．６８°の角度、日付２０１６年１１月３０日の１５：３０：４８など）を示す。同じ登録ユーザーが同じ場所（４８．３７６°Ｎ、３０．２５１４°Ｗ）、同じ標高（９５．６８メートル）、同じ角度（北２７５．６８°）に戻っても、時間は異なる。これは、ウェアラブルデバイス１２によって撮影されたすべての画像又はビデオに関する情報が一意であり、複製することができないことを意味する。これにより、異なる基準を独立して（昇順又は降順のいずれか）検索することができるので、後の検索はより効率的になる。
【０１５９】
このような情報は、各画像、ビデオ、及び／又はオーディオファイルにおけるメタデータとして格納することができる。メタデータは、それに加えて、又はそれに代わりに、電子透かし（人間の目に見えても目に見えなくてもよい）の形で、各メディアファイル（画像及び／又はビデオ及び／又は音声）に格納されていてもよい。したがって、データベース１０４にアップロードされたすべての写真、ビデオ、又はオーディオは、メタデータを携帯することができ、当該メタデータは、画像、ビデオ、又はオーディオを取得し、及び画像、ビデオ、オーディオを作成する日付、時間及び地理的位置を取得する特定者を確認する。この情報は、メディアの真正性（ビデオ及び／又は静止画像及び／又はオーディオ）が確立されるように、ウェアラブルデバイス１２の承認済ユーザーのデジタル証明書が割り当てられてもよい。ウェアラブルデバイス１２は、ウェアラブルデバイス１２を着用しているユーザが生体検証された場合にのみ、デジタル署名機能を有効にすることができ、それは、彼／彼女がウェアラブルデバイス１２の承認済ユーザーであるからである。
【０１６０】
ウェアラブルデバイス１２は、デジタル証明書がウェアラブルデバイス１２を使用するときのみで有効であるだけでなく、真実性が追跡可能である限り、いずれかの実用的な方法でコピーし、或いはウェアラブルデバイス１２から当該デジタル証明書を抽出されるように構成されてもよい。いくつかの実施形態では、デジタル証明書は、専用回路のみがアクセス可能な、ウェアラブルデバイス１２のメモリ４４の一部に格納され、前記専用回路は、デジタル証明書をメディアファイルなどのデジタル署名されたファイルに適用するように構成される。いくつかの実施形態では、別個のメモリ及び専用回路はともに、特定用途向け集積回路（application specific integrated circuit，ASIC）に設けられる。いくつかの実施形態では、専用回路は、ウェアラブルデバイス１２の登録ユーザの生体情報と、ユーザのアイデンティティを受信して、及び前記生体情報を使用してユーザのアイデンティティを識別して検証するための回路とを共に永久に書き込む部分を含む。
【０１６１】
いくつかの実施形態では、画像又は他のメディアを取得するたびに、ウェアラブルデバイス１２は、画像又は他のメディアを取得する同時に、ウェアラブルデバイス１２のユーザのアイデンティティの生体識別チェックを実行する。これにより、画像（又は他のメディア）を撮影する人のアイデンティティを正確に特定できることが保証される。
【０１６２】
いくつかの実施形態では、情報は画像又はビデオ自体に埋め込まれ、例えば図１２に示すように、画像又はビデオを見るときに可視になる。図１２は、位置４１０、ユーザアイデンティティ４２０、日付４３０、及び画像説明４４０が埋め込まれた画像４００を示す。この情報は、例えば、画像４００のコーナー又はエッジに表示することができる。画像４００を撮影するコンパスの方向は、画像４００、例えば画像４００の上端や、底端、側端に表示されてもよい。他の実施形態では、情報は、画像４００における他の位置に埋め込まれてもよい。更に、前記情報は、複数の言語（例えば、英語、中国語など）の１種であってもよい。一部の言語では、情報が（水平ではなく）垂直に表示されることができる。情報を表示することに加えて、前記情報は、１つ又は複数の指定されたデータベースにリンクされることもでき、それにより、これらの４ｃ５ｄデータ（「５つのデータは、４つのコーナー又はエッジに位置している」を意味する）が切断又は切り捨てられても、そのソースを検証できる。
【０１６３】
この情報のいずれか又はすべてはまた、画像４００に関連付けられた検索可能及びコンピュータ読み取り可能なメタデータとして格納されてもよい。好ましくは、高精度の位置及び方向情報は、画像４００にリンクされたメタデータに含まれる。画像４００に関連可能な別の情報は、カメラがズーム機能を有する場合に変化することができる視野である。前記視野は方向情報と一緒に使用して、様々な角度又は異なる高さで特定の位置乃至同一位置に発生するイベントを表示することができる画像を位置決めすることに用いられる。
【０１６４】
いくつかの実施形態では、色／トーンが画像４００の周囲の部分に対して対照を形成する背景により、明暗差がある情報を表示する。展示する情報テキストの色及び/又はトーンは、背景と対比するために自動的に選択されてもよい。例えば、画像処理を実行することにより、画像４００において情報を表示しようとするコーナー領域の代表色及びトーンを決定することができる。次に、背景に対して逆又は対照的な色及び／又はトーンを自動的に選択することができる。次に、画像４００においてテキストを表示しようとする領域は、選択された逆及び／又は対照的な色及び／又はトーンに設定されることができる。それと同時に、テキストを表示するための色及び／又はトーンを自動的に選択することができる。このプロセスは、画像４００において情報を表示しようとするの各エッジ又はコーナーに対して別々に実行される。
【０１６５】
いくつかの実施形態では、画像データを改変することにより、情報を含むテキスト及びその対比背景領域が画像４００自体の一部となる。他の実施形態では、原画像４００のデータが保存され、情報を含むテキスト及びその対比背景領域を表示画像４００に重ね合わする。いずれの実施形態においても、画像４００に関連する情報（画像４００の撮影場所、画像４００の撮影時間、南北に関する角度及び画像４００の撮影者）は、デジタル署名パッケージにおける画像データと関連付けられてもよく、その結果、画像データも関連情報も検出せずに変更することができない。
【０１６６】
メタデータ（例えば、誰が何をするか、北南に対する角度、時間、箇所、高さなど）が画像４００に表示されている場合、前記メタデータは理解しやすい形式でなければならない。例えば、コンパスの方向は、コンパスポイント（例えば、Ｎ、ＮＷ、Ｓ、ＳＷなど）及び／又はコンパスのヘッディング（例えば、３２２度、１１３度）で示されることができる。前記方向情報は、磁北、方眼北、真北などを参照することができる。ウェアラブルデバイス１２は、異なる方向で写真を撮るように方向付けられたカメラ２６（例えば、前向きカメラ及び後向きカメラ）を備える場合、各カメラ２６によって撮影された画像は異なるコンパス方向に関連付けることができる。画像やビデオにおいて個体データを表示する特定の場所は変わることができる。
【０１６７】
いくつかの実施形態では、透かしは、ＡＳＣＩＩ桁又はコードに関連する個別の小さなパケット（又はピクセルドット）の形態であってもよく、たとえ画像が切り取られたとしても、前記ＡＳＣＩＩ桁又はコードは、それぞれ、メタデータの一部を明らかにする。複数のパケットは、画像全体又はビデオ全体にわたって分布されてもよい。前記複数のパケットは、画像内の所定のパターンに従って分布される可能性があるが、それに従って分布しない可能性もある。このような所定のパターンはランダムなものであってもよい。当該特定のパターンは、ユーザに知られていない可能性がある。小さなパケット（又はピクセルドット）及びそれに埋め込まれた情報は、人間の目に見えないものである。前記情報は、パケットが拡大されるときに識別可能である。特定の実施形態では、承認された政府機関のみが、透かし情報を識別することができ、ウェアラブルデバイス１２によって撮影された特定の画像又はビデオの信頼性を検証するための適切な拡大装置にアクセスする。
【０１６８】
いくつかの実施形態では、各パケットは、メタデータを確認する情報を含み、当該メタデータは、ファイルに描かれている画像又はビデオを取得し、及び画像又はビデオを作成する日付、時間、及び地理的位置を取得する特定者に関するものである。そのような実施形態では、小さなパケットの各々は、これらの４ｃ５ｄ因子のうちの少なくとも１つを説明するメタデータを含むが、誰が何をするか、北南に対する方向、高さ、時間および箇所（４ｃ５ｄ）のみに限定される。
【０１６９】
図１３は、例示的な実施形態による電子透かしを組み込んだ画像５００を示す。画像５００は、ウェアラブルデバイス１２によって捉えられた写真であり、当該写真は、人間の目に見えるか又は目に見えない所定領域全体又はパターンに分配された複数の小さなパケット５０２を含む。この実施形態では、小さなパケット５０２は、画像５００内に規則的に分配されるが、不規則に配置されてもよい。小さなパケット５０２はまた、画像５００内にランダムに分配されてもよい。図１４は、各パケット５０２の拡大図である。各パケット５０２は、画像５００に埋め込まれた位置５０４、ユーザアイデンティティ５０６、日付５０８及び画像説明５１０を含む。いくつかの実施形態では、各パケットは略正方形の構成を含み、各パケット内の各情報項は正方形の角又は辺縁に位置付けられるが、これは必須ではない。各パケットは、通常人間の目に見えない任意の類型又はパターンの任意の適切な構成を含むことができる。各パケットにおける情報は、画像内の任意の適切な場所に埋め込まれることができる。
【０１７０】
いくつかの実施形態では、画像又はビデオに埋め込まれた各小さなパケットは、異なるメタデータを含む。そのような実施形態では、各小さなパケットは、完全なメタデータの一部を含み、それにより、小さなパケットの各々に埋め込まれた情報のすべてが結合されたときに、完全の真実画像又はビデオファイルのメタデータ情報を形成する。
【０１７１】
完全の画像ファイルのメタデータ情報は、列によって分離されることができ、小さなパケットが画像内の列に位置している。これは、図１５及び図１６に示されている。図１６は、ウェアラブルデバイス１２によって捉えられた図１５の画像６００に埋め込まれた１列の小さなパケットの拡大図である。画像６００は、列によって画像６００の特定の領域内に分布された小さなパケット６１２を含む。図１５及び図１６に示す実施形態では、図１６における小さいパケットの拡大された列６１０は、画像６００が撮影されるウェアラブルデバイス１２に割り当てられた登録ユーザの名前及び生年月日などの情報を含む（例えば、登録ユーザは１１−１１−１９５５で生まれたＪＯＥ  ＤＯＥである）。各小さなパケット６１２Ａは、１文字又は１数字を含むことができるが、これは必須ではない。各小さなパケットは、同じ識別情報を提供するために複数の文字又は数字を含んでもよい。パケットの他の列は、ユーザの出生地及び位置（高度、緯度及び経度として表現されてもよい）などの情報を含むことができる。当業者であれば、多くの組み合わせが存在し、それにより、メタデータ情報を画像内の異なる位置に埋め込まれた小さなパケットに分布させると理解すべきである。具体的には、小さなパケットは、任意の適切なパターンで分布することができる。このような実施形態では、小さなパケットの特定のパターン内で任意の合理の方式でメタデータ情報を分離させることができ、それにより、ビデオ又は画像が切り取られても残りの部分が依然としてメタデータ情報を提供することができる。
【０１７２】
いくつかの実施形態では、上述のように、小さなパケットに加えて、可視電子透かしは画像に挿入される。このような可視電子透かしは、人間の目に見える可能性がある。可視デジタル透かしは、不可視的な小さなパケットの透かしと同じ情報を含むことができる。特定の実施形態では、可視デジタル透かしとして画像に埋め込まれたメタデータ情報は、画像又はビデオのエッジ又はコーナーに配置されてもよい。
【０１７３】
サーバ１００は、メタデータに従って、例えば、国家、画像又はビデオを撮影するユーザの家名及び／又は名、画像又は動画を撮影するユーザの出生地、画像又はビデオの内容、画像又はビデオを撮影する日付、画像又はビデオを撮影する場所などにより、画像及びビデオを分類するように構成されてもよい。これにより、降順又は昇順のさまざまなカテゴリにより、強力で正確に検索することができる。
【０１７４】
サーバ１００は顔認識エンジンを含んでもよく、前記顔認識エンジンは、下記目的の１つ又は複数の目的のために、データベース１４にアップロードされた画像及びビデオを自動的に処理する。
・関心のある人と画像又はビデオにおける顔とを自動的に比較し、マッチングする場合に関係当局に通知する。
・画像又はビデオにおける人を自動的に識別し、前記人は、システム１０によって認識されたユーザでもよい。
【０１７５】
ウェアラブルデバイス１２は、互いに通信することができる。例えば、２つ以上の登録済みのウェアラブルデバイス１２が互いに近接している場合、これらの２つのウェアラブルデバイス１２は、互いに通信することができる。図１７は、本発明の例示的な実施形態による登録済みのウェアラブルデバイス１２を使用して登録ユーザのアイデンティティを検証する方法を示す。示された実施形態では、２人のユーザ、すなわちユーザＰａとユーザＰｂは、それぞれウェアラブルデバイス１２ａと１２ｂを使用又は着用している。ユーザＰａ及びユーザＰｂは、予定距離にあるとき、ユーザＰａ又はユーザＰｂは、自分のウェアラブルデバイス１２が他人のアイデンティティの検証を要求するように命令することができる。
【０１７６】
そのようなコマンドは、ウェアラブルデバイス１２によって提供される任意のユーザインターフェースモダリティを使用して行うことができる。例えば、当該コマンドは、ウェアラブルデバイス１２のマイクロフォン２４によってピックアップされた音声コマンド、入力デバイスの入力、眼球追跡などであってもよい。このコマンドを受信すると、ウェアラブルコンピューティングデバイス１２は、他人のアイデンティティを検証するための１つ以上のデータアイテムを取得することができる認証プログラムをアクティブする。そのようなデータアイテムには以下を含む。
・アイデンティティが検証されるべきユーザのウェアラブルデバイス１２を確認するデータ−これは、他のデバイスとの無線通信によって直接的に取得することができ、或いはサーバ１００を介して取得することができる。
・アイデンティティが検証されるべきユーザの顔画像−これはカメラ２６を用いて取得することができる。
・アイデンティティが検証されるべきユーザの音声記録−これはマイクロホン２４を使用して取得することができる。
【０１７７】
この情報は、本来の形態又は処理された形態のいずれかでサーバ１００に送信できる。サーバ１００は、情報を使用して、データベース１０４内の情報と組み合わせて、情報に対応する承認済ユーザーを確認し、かつ別のアイデンティティの検証を要求した他の承認済ユーザーに対して個人情報、例えば、承認済ユーザーの名前などを検索して提供することができる。
【０１７８】
例えば、認証プログラムは、顔認識コンポーネントを含むことができる。ユーザＰａの音声コマンドを介して認証プログラムをアクティブすると、顔認識コンポーネントは、ウェアラブルデバイス１２のうちの１つ以上のカメラ２６を自動的にアクティブさせる。カメラ２６は、ユーザＰｂの顔画像をキャプチャし始める。そのような画像ファイルは、ネットワーク１０２を介してサーバ１００に伝送される。サーバ１００は、顔認識コンポーネントを使用して、捉えられた画像とデータベース１０４に格納されたすべての登録ユーザの画像（又は画像認識パラメータ）とを比較する。認証プロセスが完了した後、サーバ１００は、ネットワーク１０２を介して、ユーザＰｂのアイデンティティ情報をユーザＰａに送信する。
【０１７９】
２つ又は複数の登録済みのウェアラブルデバイス１２は、無線通信によって、さらい、互いに通信して、テキスト、写真、ビデオ、位置又は他の適切な情報を交換することができる。更に、ユーザＰａが、そのウェアラブルデバイス１２ａにおいて、ユーザＰｂが自分のウェアラブルデバイス１２ｂで捉えられた画像及び／又はビデオを見ることが可能である。これは、リアルタイムに行うことができ、それにより、ユーザＰａ及びＰｂの両方が同じ画像及び／又はビデオを同時に見ることができる。これは、危険な状況に遭った子供たちにとって特に有益である。
【０１８０】
いくつかの実施形態では、ウェアラブルデバイス１２は、図１８に示すように、登録ユーザでない個人のアイデンティティを検証することができる。データベース１０４は、システム１０の登録ユーザ及び関心のある他の人々の識別情報を含むことができる。例えば、関心のある他の人々は、例えば、犯罪者を含むことができる。
【０１８１】
サーバ１００は、犯罪者の識別情報が自動的に検索されるように、法執行機関又は国家安全機関のデータベース（未図示）にリンクされてもよい。あるいは、サーバ１００は、法執行機関の１つ以上のデータベースから犯罪者の識別情報を検索するように請求することができる。このような請求は、所定の時間間隔（例えば、毎日、毎週など）で行うことができる。識別情報は、そのような個人の顔、声、又は指紋情報を含むことができる。サーバ１００は、システム１０の登録ユーザの識別情報に加えて、そのような識別情報を検索してもよい。
【０１８２】
このような実施形態におけるウェアラブルデバイス１２のカメラ２６は、犯罪者を検出することができるスキャナのネットワークとして機能することができる。各ウェアラブルデバイス１２は、群衆の中のこれらの犯罪者に対するスキャナ又は監視カメラのように動作する。それによって、ウェアラブルデバイス１２の着用者に対して、安全素子を提供し、それは、着用者は、犯罪者が検出されたときに犯罪者を回避するか、又は各当局に警告することができるからである。
【０１８３】
図１８に示されるように、登録済みウェアラブルデバイス１２を着用又は使用している登録ユーザＰａが非ユーザＰ−３の所定距離内に犯罪者であると思われる個人に会うと、ユーザＰａは、自分のウェアラブルデバイス１２に人員Ｐ−３のアイデンティティをチェックするように命令できる。これにより、認証プログラムがアクティブされる。サーバ１００におけるリアルタイム認証ソフトウェアは、ユーザＰａが捉えた画像を処理して、捉えられた画像をサーバ１００がアクセス可能な識別情報と照合しようとする。サーバ１００が人員Ｐ−３を識別しない場合、サーバ１００はその結果をユーザＰａに通知し、そして、ユーザＰａは、何もしないことを決定するか、又はウェアラブルデバイス１２を介して１つ以上の緊急信号をアクティブにすることを決定し得る。人員Ｐ−３が犯罪者であることが確認された場合、サーバ１００はその結果をユーザＰａに通知し、そして、ユーザＰａはウェアラブルデバイス１２を介して緊急信号をアクティブするか、又は逃げることができる。
【０１８４】
ユーザＰａが犯罪者を探している法執行官である場合、ウェアラブルデバイス１２−１と領域内の他のデバイス１２−２、１２−３等（図１８には図示せず）は、デバイス１２−１、１２−２、１２−３等で撮影された画像に捉えられた人を共同してスキャンすることができる。
【０１８５】
あるいは、サーバ１００は、人員Ｐ−３が犯罪者であることを確認すると、最も近い法執行官にメッセージを送信するように構成されてもよい。サーバ１００は、捉えられた画像と付随するすべてのメタデータとを法執行官に送信することもできる。法執行官は、犯罪者（すなわち、人員Ｐ−３）のアイデンティティのメタデータ及び捉えられた画像の地理位置を有することにより、迅速かつ適切に対応することができる。
【０１８６】
いくつかの実施形態では、リアルタイム認証ソフトウェアは、各ウェアラブルデバイス１２に組み込まれ、或いは更新される。このような実施形態では、各ウェアラブルデバイス１２は、識別情報、例えば、犯罪者の画像を受信してメモリ４０にローカル記憶する。この識別情報は、間隔的にネットワーク１０２を介して更新することができ、それにより、各ウェアラブルデバイス１２は、最新の情報を保有する。一旦ユーザ（例えば、人員Ｐａ）が画像を捉えると、ウェアラブルデバイス１２におけるリアルタイム認証ソフトウェアをアクティブし、リアルタイム認証ソフトウェアによりユーザＰａにより捉えられた画像を処理して、捉えられた画像における個体画像とウェアラブルデバイス12のメモリ40に記憶された識別情報とをマッチングしようと試みる。以上のように、マッチングした場合は、ウェアラブルデバイス１２のユーザ及び／又は関係当局を自動的に通知することができる。上記のような特徴は、失われた子供及び他の行方不明者を見つけることに適用され得る。
【０１８７】
上述したように、本明細書で説明するように、ウェアラブルデバイス１２は、サーバ１００及びデータベース１０４と共に、システム１０を形成する。好ましくは、ウェアラブルデバイス１２は、サーバ１００を介してデータベース１０４に無線でアクセスすることができる。ウェアラブルデバイス１２は、取得されたメディア（例えば、画像又はビデオ）及び録音をサーバ１００に伝送してデータベース１００に格納することができる。それぞれの技術に従い、オーディオをソートして検索することができ、それにより、類似したオーディオを入力することによって音楽を伴う画像又はビデオを検索して発見することができる。ウェアラブルデバイス１２は、自動的に及び／又はユーザコマンドに応答してそのようなメディアをデータベース１０４に送信することができる。いくつかの実施形態では、一部又はすべてのウェアラブルデバイス１２は、自動的に周期的又は連続的にメディアを取得してデータベース１０４に送信するように構成される。
【０１８８】
データベース１０４がウェアラブルデバイス１２のメディアを受信すると、データベース１０４は、いくつかの機能（例えば、受信されたメディアを認証する）を実行することができる。当該認証は、例えば、ビデオ又は画像におけるデジタル署名が承認済のウェアラブルデバイス１２に対応するか否か、及び／又は、デジタル署名が真実のメディアを受信された特定のウェアラブルデバイス１２に対応するか否かを検証することができる。いくつかの実施形態では、データベース１０４は、受信したメディアを索引付けすることができ、それにより、メディアに関連付けられたメタデータを使用してソート及び検索する。メタデータは、メディアが取得された場所、日付、高度位置、緯度、経度及び視線方向の１つ又は複数の組合せを含むことができるが、音楽メロディのような関連するオーディオデータを含むが、それに制限されない。それにより検索効率を高める。
【０１８９】
データベース１０４は、高性能顔認識ソフトウェアを介して画像を処理することができる。いくつかの実施形態では、データベース１０４は、画像における任意の顔を指名手配犯の顔と比較する。関連当局は自動的に通知されることができる。
【０１９０】
警察又は他の法執行機関は、データベース１０４を検索できる。警察又は他の法執行機関は、特定の地域、特定の日付に記録された画像を検索することができる。特定の場所及び特定の時間に取得された画像に指名手配犯が出現しているという警告を受信したことに応答して、警察は、データベース１０４において、ほぼ同じ時間、ほぼ同じ領域で取得された他の画像を検索することもできる。いくつかの実施形態では、第１画像において指名手配犯とのマッチングを検出したことに応答して、データベース１０４は、データベース１０４における１組の他のメディアを自動的に集め、当該メディアは、第１画像の所定時間内、第１画像が取得された位置の所定距離に取得された。
【０１９１】
本明細書で説明するデータベース１０４は、公衆安全を維持するための多くの利点を提供し得る。これらの利点は以下を含む。
・データベース１０４には、登録されている各人の本名が含まれている。データベース１０４における各メディアファイルは、画像が取得されるときの特定者にはっきり、かつ迅速に関連付けることができる。
・いくつかの実施形態では、警察又は他の法執行機関がサーバ１００を介してデータベース１０４にアクセスして、かつウェアラブルデバイス１２のユーザと通信することができる。ウェアラブルデバイス１２は、通信が警察官のふりをする人ではなく承認された人から来たものであることをユーザに検証することができ、それは、これらの安全機関が事前にシステム１０に登録しなければならないからである。
・幅広い検索が可能である。このような検索は、要求に応じて実行されてもよく、事前に設定されて自動的に実行されてもよい。例えば、データベース１０４は、疑わしいパターンを探すために、ある場所で又はある方向に向いた場所で取得された画像を容易にスキャンすることができる。例えば、データベース１０４は、ある日のある時間点に銀行又は他の場所の近くに繰り返して出現する任意の人を確認するようにプログラムされてもよい。
・実行可能な検索タイプの別の例は、特定の時間範囲内に特定のスポットを示す全ての画像に関して実行される。これは、データベース１０４に格納された画像の位置、視野方向及び視野を指定するメタデータを処理して、ターゲット位置が可視である画像を選択し、取得日付を示すメタデータを使用して所望の時間範囲／所望の時間範囲内の検索結果を制限する。
・逃亡中の容疑者、気象警報、津波警報、地震などのようなものに関する警告を含む公共サービスアナウンスメントは、ウェアラブルデバイス１２を介して配信されてもよい。それぞれの場合、ウェアラブルデバイス１２のユーザは、承認ソースからの公共サービスアナウンスメントを信じることができる。
【０１９２】
説明のために、本明細書は、システム、方法及び装置の具体例について説明したが、これらは例に過ぎない。本明細書で提供される技術は、上記の例示的なシステム以外のシステムにも適用できる。本発明の実施において、多くの変更、修正、追加、省略、及び置換が可能である。本発明は、前記実施形態についての変形も含み、前記変形は、当業者にとって明らかである。前記変形は、特徴、要素及び／又は動作を同等の特徴、要素及び／又は動作に置き換えること、異なる実施形態の特徴、要素及び／又は動作の混合及びマッチングすること、本明細書に説明された特徴、要素及び／又は動作を他の技術による特徴、要素、及び／又は動作と組み合わせること、及び／又は、前記実施形態が組み合わせた特徴、要素及び／又は動作を省略することによって取得した変形を含む。
【０１９３】
本明細書は、いくつかの例示的な態様及び実施形態を説明したが、当業者であれば、その特定の変更、置換、追加及び部分的な組合せが可能であることが理解できる。したがって、以下の添付の特許請求の範囲及びその後に説明する特許請求の範囲は、合理的に推測できる、このような変更、置換、追加、省略及び部分的な組合せの全てを含むと解釈されることが意図される。特許請求の範囲は、実施例に記載された好ましい実施形態によって限定されず、説明全体と一致する最も広い解釈として理解すべきである。
【図１】
2019511021.tif 000003
【図２】
2019511021.tif 000004
【図３】
2019511021.tif 000005
【図４】
2019511021.tif 000006
【図５】
2019511021.tif 000007
【図６】
2019511021.tif 000008
【図７】
2019511021.tif 000009
【図８】
2019511021.tif 000010
【図９】
2019511021.tif 000011
【図１０】
2019511021.tif 000012
【図１１】
2019511021.tif 000013
【図１２】
2019511021.tif 000014
【図１３−１４】
2019511021.tif 000015
【図１５−１６】
2019511021.tif 000016
【図１７】
2019511021.tif 000017
【図１８】
2019511021.tif 000018
【国際調査報告】
2019511021.tif 000019
2019511021.tif 000020
2019511021.tif 000021
2019511021.tif 000022